(57)【要約】  【課題】農作物栽培施設内において、無農薬有機栽培でありながらも、高齢化する農作業者の作業負担を増大させることなく、虫害や病原菌等を効果的に除去して、農作物の病気を阻止することができ、栽培期間中の使用に十分耐え得る光触媒を用いたシート、特に、農作物栽培用マルチングシートなどの農作物栽培用シート、及び光触媒を用いたシートを備えた農作物栽培施設を提供する。  【解決手段】光触媒を用いたシート３は、表面に光に不活性な無機物で部分的に被覆してなる被覆光触媒粒子３ａを担持した炭３ｂを、透光性を有する不織布を構成する繊維３ｃの間に挟み込む等、透光性を有する不織布に備えている。被覆光触媒粒子３ａを担持した炭の粒子３ｂと透光性を有する不織布の繊維３ｃとが積層され、熱硬化処理を介して固定されている。【選択図】  図３
0003115778.tif 000002
【実用新案登録請求の範囲】
【請求項１】
表面に光に不活性な無機物で部分的に被覆してなる被覆光触媒粒子を担持した炭を、透光性を有する不織布に備えた構成を有することを特徴とする光触媒を用いたシート。
【請求項２】
前記被覆光触媒粒子を担持した炭の粒子を、前記透光性を有する不織布を構成する繊維の間に挟み込んだ構成を有することを特徴とする請求項１に記載の光触媒を用いたシート。
【請求項３】
前記被覆光触媒粒子を担持した炭の粒子を、前記透光性を有する不織布の表面から露出するように、該不織布に埋め込んだ構成を有することを特徴とする請求項１に記載の光触媒を用いたシート。
【請求項４】
前記被覆光触媒粒子を担持した炭の粒子と前記透光性を有する不織布の繊維とが積層されていることを特徴とする請求項２に記載の光触媒を用いたシート。
【請求項５】
積層された前記被覆光触媒粒子を担持した炭の粒子と前記透光性を有する不織布の繊維とが、熱硬化処理を介して固定されていることを特徴とする請求項４に記載の光触媒を用いたシート。
【請求項６】
積層された前記被覆光触媒粒子を担持した炭の粒子と前記透光性を有する不織布の繊維とが、該炭の粒子が通過しない大きさの孔があいた２つの多孔質シート材で挟まれていることを特徴とする請求項４に記載の光触媒を用いたシート。
【請求項７】
少なくとも一方の面に多孔質シート材を備えたことを特徴とする請求項５に記載の光触媒を用いたシート。
【請求項８】
表面に光に不活性な無機物で部分的に被覆してなる被覆光触媒粒子を担持した炭を、該炭の粒子が通過しない大きさの孔があいた多孔質シート材に備えてなることを特徴とする光触媒を用いたシート。
【請求項９】
前記被覆光触媒粒子を担持した炭の粒子を、前記多孔質シート材の表面から露出するように、該多孔質シート材に埋め込んでなることを特徴とする請求項８に記載の光触媒を用いたシート。
【請求項１０】
前記被覆光触媒粒子を担持した炭の粒子を、２つの前記多孔質シート材で挟んでなることを特徴とする請求項８に記載の光触媒を用いたシート。
【請求項１１】
少なくとも一方の面が、透明な面で構成されていることを特徴とする請求項１〜１０のいずれかに記載の光触媒を用いたシート。
【請求項１２】
一方の面が、不透明な面で構成されていることを特徴とする請求項１〜１０のいずれかに記載の光触媒を用いたシート。
【請求項１３】
少なくとも一方の面が、水分透過性を備えた面で構成されていることを特徴とする請求項１〜１２のいずれかに記載の光触媒を用いたシート。
【請求項１４】
少なくとも一方の面が、親水性を備えた面で構成されていることを特徴とする請求項１〜１２のいずれかに記載の光触媒を用いたシート。
【請求項１５】
少なくとも一方の面が、撥水性を備えた面で構成されていることを特徴とする請求項１〜１２のいずれかに記載の光触媒を用いたシート。
【請求項１６】
請求項１〜１５のいずれかに記載の光触媒を用いたシートを有することを特徴とする光触媒を用いた農作物栽培用シート。
【請求項１７】
雑草の成長に必要な波長の透過を遮断する色で着色又は配色が施された多孔質シート材と、
前記多孔質シート材に接着された透明なフェルトと、
前記フェルトを構成する繊維に担持された、表面に光に不活性な無機物で部分的に被覆してなる被覆光触媒粒子を担持した炭の粒子と、
からなることを特徴とする光触媒を用いた農作物栽培用マルチングシート。
【請求項１８】
雑草の成長に必要な波長の透過を遮断する色で着色又は配色が施された多孔質シート材と、
前記多孔質シート材に接着された透明なフェルトと、
前記フェルトを構成する繊維に担持された、表面に光に不活性な無機物で部分的に被覆してなる被覆光触媒粒子と、
からなることを特徴とする光触媒を用いた農作物栽培用マルチングシート。
【請求項１９】
さらに、前記透明なフェルトの前記多孔質シート材が接着される側とは反対側の面に接着された透明な第２の多孔質シート材を有してなることを特徴とする請求項１７又は１８に記載の光触媒を用いた農作物栽培用マルチングシート。
【請求項２０】
雑草の成長に必要な波長の透過を遮断する色で着色又は配色が施された多孔質シート材と、
前記多孔質シート材の一方の面にブラシ状に植設又は接着された毛状の透明な繊維と、
前記毛状の透明な繊維に担持された、表面に光に不活性な無機物で部分的に被覆してなる被覆光触媒粒子を担持した炭の粒子と、
からなることを特徴とする光触媒を用いた農作物栽培用マルチングシート。
【請求項２１】
雑草の成長に必要な波長の透過を遮断する色で着色又は配色が施された多孔質シート材と、
前記多孔質シート材の一方の面にブラシ状に植設又は接着された毛状の透明な繊維と、
前記毛状の透明な繊維に担持された、表面に光に不活性な無機物で部分的に被覆してなる被覆光触媒粒子と、
からなることを特徴とする光触媒を用いた農作物栽培用マルチングシート。
【請求項２２】
雑草の成長に必要な波長の透過を遮断する色で着色又は配色を施した多孔質シート材と、
前記多孔質シート材の一方の面に植設又は接着された羽毛状の透明な繊維と、
前記羽毛状の透明な繊維に担持された、表面に光に不活性な無機物で部分的に被覆してなる被覆光触媒粒子を担持した炭の粒子と、
からなることを特徴とする光触媒を用いた農作物栽培用マルチングシート。
【請求項２３】
雑草の成長に必要な波長の透過を遮断する色で着色又は配色を施した多孔質シート材と、
前記多孔質シート材の一方の面に植設又は接着された羽毛状の透明な繊維と、
前記羽毛状の透明な繊維に担持された、表面に光に不活性な無機物で部分的に被覆してなる被覆光触媒粒子と、
からなることを特徴とする光触媒を用いた農作物栽培用マルチングシート。
【請求項２４】
雑草の成長に必要な波長の透過を遮断する色で着色又は配色を施した多孔質シート材と、
前記多孔質シート材の一方の面に接着されたわた状の透明な繊維と、
前記わた状の透明な繊維に担持された、表面に光に不活性な無機物で部分的に被覆してなる被覆光触媒粒子を担持した炭の粒子と、
からなることを特徴とする光触媒を用いた農作物栽培用マルチングシート。
【請求項２５】
雑草の成長に必要な波長の透過を遮断する色で着色又は配色を施した多孔質シート材と、
前記多孔質シート材の一方の面に接着されたわた状の透明な繊維と、
前記わた状の透明な繊維に担持された、表面に光に不活性な無機物で部分的に被覆してなる被覆光触媒粒子と、
からなることを特徴とする光触媒を用いた農作物栽培用マルチングシート。
【請求項２６】
雑草の成長に必要な波長の透過を遮断する色で着色又は配色が施された多孔質シート材と、
前記多孔質シート材の一方の面に植設又は接着されたリボン状の透明な繊維と、
前記リボン状の透明な繊維に担持された、表面に光に不活性な無機物で部分的に被覆してなる被覆光触媒粒子を担持した炭の粒子と、
からなることを特徴とする光触媒を用いた農作物栽培用マルチングシート。
【請求項２７】
雑草の成長に必要な波長の透過を遮断する色で着色又は配色が施された多孔質シート材と、
前記多孔質シート材の一方の面に植設又は接着されたリボン状の透明な繊維と、
前記リボン状の透明な繊維に担持された、表面に光に不活性な無機物で部分的に被覆してなる被覆光触媒粒子と、
からなることを特徴とする光触媒を用いた農作物栽培用マルチングシート。
【請求項２８】
さらに、前記透明な繊維の前記多孔質シート材が接着される側とは反対側の面に接着された透明な第２の多孔質シート材を有してなることを特徴とする請求項２０〜２７のいずれかに記載の光触媒を用いた農作物栽培用マルチングシート。
【請求項２９】
雑草の成長に必要な波長の透過を遮断する色で着色又は配色を施した多孔質シート材と、
前記多孔質シート材に接着された透明なスポンジ状発泡体シート材と、
前記透明なスポンジ状発泡体シート材の隙間に担持された、表面に光に不活性な無機物で部分的に被覆してなる被覆光触媒粒子を担持した炭の粒子と、
からなることを特徴とする光触媒を用いた農作物栽培用マルチングシート。
【請求項３０】
雑草の成長に必要な波長の透過を遮断する色で着色又は配色を施した多孔質シート材と、
前記多孔質シート材に接着された透明なスポンジ状発泡体シート材と、
前記透明なスポンジ状発泡体シート材の隙間に担持された、表面に光に不活性な無機物で部分的に被覆してなる被覆光触媒粒子と、
からなることを特徴とする光触媒を用いた農作物栽培用マルチングシート。
【請求項３１】
さらに、前記透明なスポンジ状発泡体シート材の前記多孔質シート材が接着される側とは反対側の面に接着された透明な第２の多孔質シート材を有してなることを特徴とする請求項２９又は３０に記載の光触媒を用いた農作物栽培用マルチングシート。
【請求項３２】
雑草の成長に必要な波長の透過を遮断する色で着色又は配色を施した多孔質シート材と、
長手方向に沿う断面が連続する凹凸を有するように折り曲げ形成され、該凹凸に形成されたいずれか一方の面が前記多孔質シート材に接着された、透明な多孔質フィルム成形部材と、
前記多孔質フィルム成形部材の両面に担持された、表面に光に不活性な無機物で部分的に被覆してなる被覆光触媒粒子を担持した炭の粒子と、
からなることを特徴とする光触媒を用いた農作物栽培用マルチングシート。
【請求項３３】
雑草の成長に必要な波長の透過を遮断する色で着色又は配色を施した多孔質シート材と、
長手方向に沿う断面が連続する凹凸を有するように折り曲げ形成され、該凹凸に形成されたいずれか一方の面が前記多孔質シート材に接着された、透明な多孔質フィルム成形部材と、
前記多孔質フィルム成形部材の両面に担持された、表面に光に不活性な無機物で部分的に被覆してなる被覆光触媒粒子と、
からなることを特徴とする光触媒を用いた農作物栽培用マルチングシート。
【請求項３４】
さらに、前記多孔質フィルム成形部材に形成される凹凸のうち前記多孔質シート材が接着される側とは反対側の面に接着された透明な第２の多孔質シート材を有してなることを特徴とする請求項３２又は３３に記載の光触媒を用いた農作物栽培用マルチングシート。
【請求項３５】
雑草の成長に必要な波長の透過を遮断する色で着色又は配色を施した多孔質シート材と、
前記多孔質シート材に接着され、多数の空気保持部を有し且つ該空気保持部を含む全面に孔があけられたエアキャップシートと、
前記エアキャップシートの表面及び前記空気保持部の内壁に担持された、表面に光に不活性な無機物で部分的に被覆してなる被覆光触媒粒子を担持した炭の粒子と、
からなることを特徴とする光触媒を用いた農作物栽培用マルチングシート。
【請求項３６】
雑草の成長に必要な波長の透過を遮断する色で着色又は配色を施した多孔質シート材と、
前記多孔質シート材に接着され、多数の空気保持部を有し且つ該空気保持部を含む全面に孔があけられたエアキャップシートと、
前記エアキャップシートの表面及び前記空気保持部の内壁に担持された、表面に光に不活性な無機物で部分的に被覆してなる被覆光触媒粒子と、
からなることを特徴とする光触媒を用いた農作物栽培用マルチングシート。
【請求項３７】
さらに、前記エアキャップシートの前記多孔質シート材が接着される側とは反対側の面に接着された透明な第２の多孔質シート材を有してなることを特徴とする請求項３５又は３６に記載の光触媒を用いた農作物栽培用マルチングシート。
【請求項３８】
雑草の成長に必要な波長の透過を遮断する色で着色又は配色を施した第１の多孔質シート材と、
前記第１の多孔質シート材に対し、該第１の多孔質シート材の長手方向に所定の間隔をおいてブラシ状に植設され、先端が自由端となっている針状の透明な第１の繊維群と、
透明な第２の多孔質シート材と、
前記第２の多孔質シート材に対し、該第２の多孔質シート材の長手方向に所定の間隔をおいてブラシ状に、かつ、前記第１の繊維群と交互に位置するように植設され、先端が自由端となっている針状の透明な第２の繊維群と、
前記第１の多孔質シート材と前記第２の多孔質シート材とを部分的に連結する連結部材と、
前記第１の多孔質シート材と前記第２の多孔質シート材との間に備わる第１及び第２の繊維群に担持された、表面に光に不活性な無機物で部分的に被覆してなる被覆光触媒粒子を担持した炭の粒子と、
からなることを特徴とする光触媒を用いた農作物栽培用マルチングシート。
【請求項３９】
雑草の成長に必要な波長の透過を遮断する色で着色又は配色を施した第１の多孔質シート材と、
前記第１の多孔質シート材に対し、該第１の多孔質シート材の長手方向に所定の間隔をおいてブラシ状に植設され、その先端が自由端となっている針状の透明な第１の繊維群と、
透明な第２の多孔質シート材と、
前記第２の多孔質シート材に対し、該第２の多孔質シート材の長手方向に所定の間隔をおいてブラシ状に、かつ、前記第１の繊維群と交互に位置するように植設され、その先端が自由端となっている針状の透明な第２の繊維群と、
前記第１の多孔質シート材と前記第２の多孔質シート材とを部分的に連結する連結部材と、
前記第１の多孔質シート材と前記第２の多孔質シート材との間に備わる第１及び第２の繊維群に担持された、表面に光に不活性な無機物で部分的に被覆してなる被覆光触媒粒子と、
からなることを特徴とする光触媒を用いた農作物栽培用マルチングシート。
【請求項４０】
雑草の成長に必要な波長の透過を遮断する色で着色又は配色を施した第１の多孔質シート材と、
前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、
透明な第２の多孔質シート材と、
前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、
前記第１の多孔質シート材と前記第２の多孔質シート材とを部分的に連結する連結部材と、
前記第１の多孔質シート材と前記第２の多孔質シート材との間に備わる第１及び第２の薄板状部材の群に担持された、表面に光に不活性な無機物で部分的に被覆してなる被覆光触媒粒子を担持した炭の粒子と、
からなることを特徴とする光触媒を用いた農作物栽培用マルチングシート。
【請求項４１】
雑草の成長に必要な波長の透過を遮断する色で着色又は配色を施した第１の多孔質シート材と、
前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、
透明な第２の多孔質シート材と、
前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、
前記第１の多孔質シート材と前記第２の多孔質シート材とを部分的に連結する連結部材と、
前記第１の多孔質シート材と前記第２の多孔質シート材との間に備わる第１及び第２の薄板状部材の群に担持された、表面に光に不活性な無機物で部分的に被覆してなる被覆光触媒粒子と、
からなることを特徴とする光触媒を用いた農作物栽培用マルチングシート。
【請求項４２】
前記多孔質シート材が、透水性を有することを特徴とする請求項１７〜３７のいずれかに記載の光触媒を用いた農作物栽培用マルチングシート。
【請求項４３】
前記第１の多孔質シート材が、透水性を有することを特徴とする請求項３８〜４１のいずれかに記載の光触媒を用いた農作物栽培用マルチングシート。
【請求項４４】
前記第２の多孔質シート材が、透水性を有することを特徴とする請求項１９、２８、３１、３４、３７〜４１、請求項１９、２８、３１、３４、３７のいずれかに従属する請求項４２、請求項４３のいずれかに記載の光触媒を用いた農作物栽培用マルチングシート。
【請求項４５】
前記多孔質シート材が、親水性を有することを特徴とする請求項１７〜３７のいずれかに記載の光触媒を用いた農作物栽培用マルチングシート。
【請求項４６】
前記第１の多孔質シート材が、親水性を有することを特徴とする請求項３８〜４１のいずれかに記載の光触媒を用いた農作物栽培用マルチングシート。
【請求項４７】
前記第２の多孔質シート材が、親水性を有することを特徴とする請求項１９、２８、３１、３４、３７〜４１、請求項１９、２８、３１、３４、３７のいずれかに従属する請求項４２、請求項４３、請求項１９、２８、３１、３４、３７のいずれかに従属する請求項４５、請求項４６のいずれかに記載の光触媒を用いた農作物栽培用マルチングシート。
【請求項４８】
前記多孔質シート材が、撥水性を有することを特徴とする請求項１７〜３７のいずれかに記載の光触媒を用いた農作物栽培用マルチングシート。
【請求項４９】
前記第１の多孔質シート材が、撥水性を有することを特徴とする請求項３８〜４１のいずれかに記載の光触媒を用いた農作物栽培用マルチングシート。
【請求項５０】
前記第２の多孔質シート材が、撥水性を有することを特徴とする請求項１９、２８、３１、３４、３７〜４１、請求項１９、２８、３１、３４、３７のいずれかに従属する請求項４２、請求項４３、請求項１９、２８、３１、３４、３７のいずれかに従属する請求項４５、請求項４６、請求項１９、２８、３１、３４、３７のいずれかに従属する請求項４８、請求項４９のいずれかに記載の光触媒を用いた農作物栽培用マルチングシート。
【請求項５１】
透明な多孔質シート材と、
前記多孔質シート材に接着された透明なフェルトと、
前記フェルトを構成する繊維に担持された、表面に光に不活性な無機物で部分的に被覆してなる被覆光触媒粒子を担持した炭の粒子と、
からなることを特徴とする光触媒を用いた農作物栽培用シート。
【請求項５２】
透明な多孔質シート材と、
前記多孔質シート材に接着された透明なフェルトと、
前記フェルトを構成する繊維に担持された、表面に光に不活性な無機物で部分的に被覆してなる被覆光触媒粒子と、
からなることを特徴とする光触媒を用いた農作物栽培用シート。
【請求項５３】
さらに、前記透明なフェルトの前記多孔質シート材が接着される側とは反対側の面に接着された透明な第２の多孔質シート材を有してなることを特徴とする請求項５１又は５２に記載の光触媒を用いた農作物栽培用シート。
【請求項５４】
透明な多孔質シート材と、
前記多孔質シート材の一方の面にブラシ状に植設又は接着された毛状の透明な繊維と、
前記毛状の透明な繊維に担持された、表面に光に不活性な無機物で部分的に被覆してなる被覆光触媒粒子を担持した炭の粒子と、
からなることを特徴とする光触媒を用いた農作物栽培用シート。
【請求項５５】
透明な多孔質シート材と、
前記多孔質シート材の一方の面にブラシ状に植設又は接着された毛状の透明な繊維と、
前記毛状の透明な繊維に担持された、表面に光に不活性な無機物で部分的に被覆してなる被覆光触媒粒子と、
からなることを特徴とする光触媒を用いた農作物栽培用シート。
【請求項５６】
透明な多孔質シート材と、
前記多孔質シート材の一方の面に植設又は接着された羽毛状の透明な繊維と、
前記羽毛状の透明な繊維に担持された、表面に光に不活性な無機物で部分的に被覆してなる被覆光触媒粒子を担持した炭の粒子と、
からなることを特徴とする光触媒を用いた農作物栽培用シート。
【請求項５７】
透明な多孔質シート材と、
前記多孔質シート材の一方の面に植設又は接着された羽毛状の透明な繊維と、
前記羽毛状の透明な繊維に担持された、表面に光に不活性な無機物で部分的に被覆してなる被覆光触媒粒子と、
からなることを特徴とする光触媒を用いた農作物栽培用シート。
【請求項５８】
透明な多孔質シート材と、
前記多孔質シート材の一方の面に接着されたわた状の透明な繊維と、
前記わた状の透明な繊維に担持された、表面に光に不活性な無機物で部分的に被覆してなる被覆光触媒粒子を担持した炭の粒子と、
からなることを特徴とする光触媒を用いた農作物栽培用シート。
【請求項５９】
透明な多孔質シート材と、
前記多孔質シート材の一方の面に接着されたわた状の透明な繊維と、
前記わた状の透明な繊維に担持された、表面に光に不活性な無機物で部分的に被覆してなる被覆光触媒粒子と、
からなることを特徴とする光触媒を用いた農作物栽培用シート。
【請求項６０】
透明な多孔質シート材と、
前記多孔質シート材の一方の面に植設又は接着されたリボン状の透明な繊維と、
前記リボン状の透明な繊維に担持された、表面に光に不活性な無機物で部分的に被覆してなる被覆光触媒粒子を担持した炭の粒子と、
からなることを特徴とする光触媒を用いた農作物栽培用シート。
【請求項６１】
透明な多孔質シート材と、
前記多孔質シート材の一方の面に植設又は接着されたリボン状の透明な繊維と、
前記リボン状の透明な繊維に担持された、表面に光に不活性な無機物で部分的に被覆してなる被覆光触媒粒子と、
からなることを特徴とする光触媒を用いた農作物栽培用シート。
【請求項６２】
さらに、前記透明な繊維の前記多孔質シート材が接着される側とは反対側の面に接着された透明な第２の多孔質シート材を有してなることを特徴とする請求項５４〜６１のいずれかに記載の光触媒を用いた農作物栽培用シート。
【請求項６３】
透明な多孔質シート材と、
前記多孔質シート材に接着された透明なスポンジ状発泡体シート材と、
前記透明なスポンジ状発泡体シート材の隙間に担持された、表面に光に不活性な無機物で部分的に被覆してなる被覆光触媒粒子を担持した炭の粒子と、
からなることを特徴とする光触媒を用いた農作物栽培用シート。
【請求項６４】
透明な多孔質シート材と、
前記多孔質シート材に接着された透明なスポンジ状発泡体シート材と、
前記透明なスポンジ状発泡体シート材の隙間に担持された、表面に光に不活性な無機物で部分的に被覆してなる被覆光触媒粒子と、
からなることを特徴とする光触媒を用いた農作物栽培用シート。
【請求項６５】
さらに、前記透明なスポンジ状発泡体シート材の前記多孔質シート材が接着される側とは反対側の面に接着された透明な第２の多孔質シート材を有してなることを特徴とする請求項６３又は６４に記載の光触媒を用いた農作物栽培用シート。
【請求項６６】
透明な多孔質シート材と、
長手方向に沿う断面が連続する凹凸を有するように折り曲げ形成され、該凹凸に形成されたいずれか一方の面が前記多孔質シート材に接着された、透明な多孔質フィルム成形部材と、
前記多孔質フィルム成形部材の両面に担持された、表面に光に不活性な無機物で部分的に被覆してなる被覆光触媒粒子を担持した炭の粒子と、
からなることを特徴とする光触媒を用いた農作物栽培用シート。
【請求項６７】
透明な多孔質シート材と、
長手方向に沿う断面が連続する凹凸を有するように折り曲げ形成され、該凹凸に形成されたいずれか一方の面が前記多孔質シート材に接着された、透明な多孔質フィルム成形部材と、
前記多孔質フィルム成形部材の両面に担持された、表面に光に不活性な無機物で部分的に被覆してなる被覆光触媒粒子と、
からなることを特徴とする光触媒を用いた農作物栽培用シート。
【請求項６８】
さらに、前記多孔質フィルム成形部材に形成される凹凸のうち前記多孔質シート材が接着される側とは反対側の面に接着された透明な第２の多孔質シート材を有してなることを特徴とする請求項６６又は６７に記載の光触媒を用いた農作物栽培用シート。
【請求項６９】
透明な多孔質シート材と、
前記多孔質シート材に接着され、多数の空気保持部を有し且つ該空気保持部を含む全面に孔があけられたエアキャップシートと、
前記エアキャップシートの表面及び前記空気保持部の内壁に担持された、表面に光に不活性な無機物で部分的に被覆してなる被覆光触媒粒子を担持した炭の粒子と、
からなることを特徴とする光触媒を用いた農作物栽培用シート。
【請求項７０】
透明な多孔質シート材と、
前記多孔質シート材に接着され、多数の空気保持部を有し且つ該空気保持部を含む全面に孔があけられたエアキャップシートと、
前記エアキャップシートの表面及び前記空気保持部の内壁に担持された、表面に光に不活性な無機物で部分的に被覆してなる被覆光触媒粒子と、
からなることを特徴とする光触媒を用いた農作物栽培用シート。
【請求項７１】
さらに、前記エアキャップシートの前記多孔質シート材が接着される側とは反対側の面に接着された透明な第２の多孔質シート材を有してなることを特徴とする請求項６９又は７０に記載の光触媒を用いた農作物栽培用シート。
【請求項７２】
透明な第１の多孔質シート材と、
前記第１の多孔質シート材に対し、該第１の多孔質シート材の長手方向に所定の間隔をおいてブラシ状に植設され、先端が自由端となっている針状の透明な第１の繊維群と、
透明な第２の多孔質シート材と、
前記第２の多孔質シート材に対し、該第２の多孔質シート材の長手方向に所定の間隔をおいてブラシ状に、かつ、前記第１の繊維群と交互に位置するように植設され、先端が自由端となっている針状の透明な第２の繊維群と、
前記第１の多孔質シート材と前記第２の多孔質シート材とを部分的に連結する連結部材と、
前記第１の多孔質シート材と前記第２の多孔質シート材との間に備わる第１及び第２の繊維群に担持された、表面に光に不活性な無機物で部分的に被覆してなる被覆光触媒粒子を担持した炭の粒子と、
からなることを特徴とする光触媒を用いた農作物栽培用シート。
【請求項７３】
透明な第１の多孔質シート材と、
前記第１の多孔質シート材に対し、該第１の多孔質シート材の長手方向に所定の間隔をおいてブラシ状に植設され、その先端が自由端となっている針状の透明な第１の繊維群と、
透明な第２の多孔質シート材と、
前記第２の多孔質シート材に対し、該第２の多孔質シート材の長手方向に所定の間隔をおいてブラシ状に、かつ、前記第１の繊維群と交互に位置するように植設され、その先端が自由端となっている針状の透明な第２の繊維群と、
前記第１の多孔質シート材と前記第２の多孔質シート材とを部分的に連結する連結部材と、
前記第１の多孔質シート材と前記第２の多孔質シート材との間に備わる第１及び第２の繊維群に担持された、表面に光に不活性な無機物で部分的に被覆してなる被覆光触媒粒子と、
からなることを特徴とする光触媒を用いた農作物栽培用シート。
【請求項７４】
透明な第１の多孔質シート材と、
前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、
透明な第２の多孔質シート材と、
前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、
前記第１の多孔質シート材と前記第２の多孔質シート材とを部分的に連結する連結部材と、
前記第１の多孔質シート材と前記第２の多孔質シート材との間に備わる第１及び第２の薄板状部材の群に担持された、表面に光に不活性な無機物で部分的に被覆してなる被覆光触媒粒子を担持した炭の粒子と、
からなることを特徴とする光触媒を用いた農作物栽培用シート。
【請求項７５】
透明な第１の多孔質シート材と、
前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、
透明な第２の多孔質シート材と、
前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、
前記第１の多孔質シート材と前記第２の多孔質シート材とを部分的に連結する連結部材と、
前記第１の多孔質シート材と前記第２の多孔質シート材との間に備わる第１及び第２の薄板状部材の群に担持された、表面に光に不活性な無機物で部分的に被覆してなる被覆光触媒粒子と、
からなることを特徴とする光触媒を用いた農作物栽培用シート。
【請求項７６】
前記多孔質シート材が透水性を有することを特徴とする請求項５１〜７１のいずれかに記載の光触媒を用いた農作物栽培用シート。
【請求項７７】
前記第１の多孔質シート材が透水性を有することを特徴とする請求項７２〜７５のいずれかに記載の光触媒を用いた農作物栽培用シート。
【請求項７８】
前記第２の多孔質シート材が透水性を有することを特徴とする請求項５３、６２、６５、６８、７１〜７５、請求項５３、６２、６５、６８、７１のいずれかに従属する請求項７６、請求項７７のいずれかに記載の光触媒を用いた農作物栽培用シート。
【請求項７９】
前記多孔質シート材が親水性を有することを特徴とする請求項５１〜７１のいずれかに記載の光触媒を用いた農作物栽培用シート。
【請求項８０】
前記第１の多孔質シート材が親水性を有することを特徴とする請求項７２〜７５のいずれかに記載の光触媒を用いた農作物栽培用シート。
【請求項８１】
前記第２の多孔質シート材が親水性を有することを特徴とする請求項５３、６２、６５、６８、７１〜７５、請求項５３、６２、６５、６８、７１のいずれかに従属する請求項７６、請求項７７、請求項５３、６２、６５、６８、７１のいずれかに従属する請求項７９、請求項８０のいずれかに記載の光触媒を用いた農作物栽培用シート。
【請求項８２】
前記多孔質シート材が撥水性を有することを特徴とする請求項５１〜７１のいずれかに記載の光触媒を用いた農作物栽培用シート。
【請求項８３】
前記第１の多孔質シート材が撥水性を有することを特徴とする請求項７２〜７５のいずれかに記載の光触媒を用いた農作物栽培用シート。
【請求項８４】
前記第２の多孔質シート材が撥水性を有することを特徴とする請求項５３、６２、６５、６８、７１〜７５、請求項５３、６２、６５、６８、７１のいずれかに従属する請求項７６、請求項７７、請求項５３、６２、６５、６８、７１のいずれかに従属する請求項７９、請求項８０、請求項５３、６２、６５、６８、７１のいずれかに従属する請求項８２、請求項８３のいずれかに記載の光触媒を用いた農作物栽培用シート。
【請求項８５】
請求項５１〜８４のいずれかに記載の光触媒を用いた農作物栽培用シートと、
雑草の成長に必要な波長の透過を遮断する色で着色又は配色を施した多孔質シート材と、
からなることを特徴とする光触媒を用いた農作物栽培用マルチングシート。
【請求項８６】
前記不織布が、生分解性プラスチックからなることを特徴とする請求項１〜１５のいずれかに記載の光触媒を用いたシート。
【請求項８７】
前記多孔質シート材が、生分解性プラスチックからなることを特徴とする請求項６〜１０、請求項６〜１０に従属する請求項１１〜１５、請求項６〜１０に従属する請求項８６のいずれかに記載の光触媒を用いたシート。
【請求項８８】
請求項８６又は８７に記載の光触媒を用いたシートを用いたことを特徴とする光触媒を用いた農作物栽培用シート。
【請求項８９】
前記多孔質シート材が、生分解性プラスチックからなることを特徴とする請求項１７〜３７、４２、請求項１９、２８、３１、３４、３７のいずれかに従属する請求項４４、請求項４５、請求項１９、２８、３１、３４、３７のいずれかに従属する請求項４７、請求項４８、請求項１９、２８、３１、３４、３７のいずれかに従属する請求項５０のいずれかに従属する光触媒を用いた農作物栽培用マルチングシート。
【請求項９０】
前記第１の多孔質シート材が、生分解性プラスチックからなることを特徴とする請求項３８〜４１、４３、請求項３８〜４１、４３のいずれかに従属する請求項４４、請求項４６、請求項３８〜４１、４３、４６のいずれかに従属する請求項４７、請求項４９、請求項３８〜４１、４３、４６、４９のいずれかに従属する請求項５０のいずれかに記載の光触媒を用いた農作物栽培用マルチングシート。
【請求項９１】
前記第２の多孔質シート材が、生分解性プラスチックからなることを特徴とする請求項１９、２８、３１、３４、３７〜４１、請求項１９、２８、３１、３４、３７のいずれかに従属する請求項４２、請求項４３、４４、請求項１９、２８、３１、３４、３７のいずれかに従属する請求項４５、請求項４６、４７、請求項１９、２８、３１、３４、３７のいずれかに従属する請求項４８、請求項４９、５０のいずれかに記載の光触媒を用いた農作物栽培用マルチングシート。
【請求項９２】
前記透明なフェルトが、生分解性プラスチックからなることを特徴とする請求項１７〜１９、請求項１７〜１９のいずれかに従属する請求項４２、請求項１９又は請求項１９に従属する請求項４２に従属する請求項４４、請求項１７〜１９のいずれかに従属する請求項４５、請求項１９又は請求項１９に従属する請求項４２若しくは４５に従属する請求項４７、請求項１７〜１９のいずれかに従属する請求項４８、請求項１９又は請求項１９に従属する請求項４２、４５、４８のいずれかに従属する請求項５０のいずれかに記載の光触媒を用いた農作物栽培用マルチングシート。
【請求項９３】
前記透明な繊維が、生分解性プラスチックからなることを特徴とする請求項２０〜２８、請求項２０〜２８のいずれかに従属する請求項４２、請求項２８又は請求項２８に従属する請求項４２に従属する請求項４４、請求項２０〜２８のいずれかに従属する請求項４５、請求項２８又は請求項２８に従属する請求項４２若しくは４５に従属する請求項４７、請求項２０〜２８のいずれかに従属する請求項４８、請求項２８又は請求項２８に従属する請求項４２、４５、４８のいずれかに従属する請求項５０のいずれかに記載の農作物栽培用マルチングシート。
【請求項９４】
前記透明なスポンジ状発泡体シート材が、生分解性プラスチックからなることを特徴とする請求項２９〜３１、請求項２９〜３１のいずれかに従属する請求項４２、請求項３１又は請求項３１に従属する請求項４２に従属する請求項４４、請求項２９〜３１のいずれかに従属する請求項４５、請求項３１又は請求項３１に従属する請求項４２若しくは４５に従属する請求項４７、請求項２９〜３１のいずれかに従属する請求項４８、請求項３１又は請求項３１に従属する請求項４２、４５、４８のいずれかに従属する請求項５０のいずれかに記載の農作物栽培用マルチングシート。
【請求項９５】
前記透明な多孔質フィルム成形部材が、生分解性プラスチックからなることを特徴とする請求項３２〜３４、請求項３９〜３４のいずれかに従属する請求項４２、請求項３４又は請求項３４に従属する請求項４２に従属する請求項４４、請求項３２〜３４のいずれかに従属する請求項４５、請求項３４又は請求項３４に従属する請求項４２若しくは４５に従属する請求項４７、請求項３２〜３４のいずれかに従属する請求項４８、請求項３４又は請求項３４に従属する請求項４２、４５、４８のいずれかに従属する請求項５０のいずれかに記載の農作物栽培用マルチングシート。
【請求項９６】
前記エアキャップシートが、生分解性プラスチックからなることを特徴とする請求項３５〜３７、請求項３５〜３７のいずれかに従属する請求項４２、請求項３７又は請求項３７に従属する請求項４２に従属する請求項４４、請求項３５〜３７のいずれかに従属する請求項４５、請求項３７又は請求項３７に従属する請求項４２若しくは４５に従属する請求項４７、請求項３５〜３７のいずれかに従属する請求項４８、請求項３７又は請求項３７に従属する請求項４２、４５、４８のいずれかに従属する請求項５０のいずれかに記載の農作物栽培用マルチングシート。
【請求項９７】
前記第１及び第２の繊維群が、生分解性プラスチックからなることを特徴とする請求項３８、３９、請求項３８又は３９に従属する請求項４３、請求項３８若しくは３９又は請求項３８若しくは３９に従属する請求項４３に従属する請求項４４、請求項３８又は３９に従属する請求項４６、請求項３８若しくは３９又は請求項３８若しくは３９に従属する請求項４３若しくは４６に従属する請求項４７、請求項３８又は３９に従属する請求項４９、請求項３８若しくは３９又は請求項３８若しくは３９に従属する請求項４３、４６、４９のいずれかに従属する請求項５０のいずれかに記載の農作物栽培用マルチングシート。
【請求項９８】
前記第１及び第２の薄板状部材の群が、生分解性プラスチックからなることを特徴とする請求項４０、４１、請求項４０又は４１に従属する請求項４３、請求項４０若しくは４１又は請求項４０若しくは４１に従属する請求項４３に従属する請求項４４、請求項４０又は４１に従属する請求項４６、請求項４０若しくは４１、又は請求項４０若しくは４１に従属する請求項４３若しくは４６に従属する請求項４７、請求項４０又は４１に従属する請求項４９、請求項４０若しくは４１又は請求項４０若しくは４１に従属する請求項４３、４６、４９のいずれかに従属する請求項５０のいずれかに記載の農作物栽培用マルチングシート。
【請求項９９】
前記多孔質シート材が、生分解性プラスチックからなることを特徴とする請求項５１〜７１、７６、請求項５３、６２、６５、６８、７１のいずれかに従属する請求項７８、請求項７９、請求項５３、６２、６５、６８、７１のいずれかに従属する請求項８１、請求項８２、請求項５３、６２、６５、６８、７１のいずれかに従属する請求項８４のいずれかに従属する光触媒を用いた農作物栽培用シート。
【請求項１００】
前記第１の多孔質シート材が、生分解性プラスチックからなることを特徴とする請求項７２〜７５、７７、請求項７２〜７５、７２のいずれかに従属する請求項７８、請求項８０、請求項７２〜７５、７７、８０のいずれかに従属する請求項８１、請求項８３、請求項７２〜７５、７７、８０、８３のいずれかに従属する請求項８４のいずれかに記載の光触媒を用いた農作物栽培用シート。
【請求項１０１】
前記第２の多孔質シート材が、生分解性プラスチックからなることを特徴とする請求項５３、６２、６５、６８、７１〜７５、請求項５３、６２、６５、６８、７１のいずれかに従属する請求項７６、請求項７７、７８、請求項５３、６２、６５、６８、７１のいずれかに従属する請求項７９、請求項８０、８１、請求項５３、６２、６５、６８、７１のいずれかに従属する請求項８２、請求項８３、８４のいずれかに記載の光触媒を用いた農作物栽培用シート。
【請求項１０２】
前記透明なフェルトが、生分解性プラスチックからなることを特徴とする請求項５１〜５３、請求項５１〜５３のいずれかに従属する請求項７６、請求項５３又は請求項５３に従属する請求項７６に従属する請求項７８、請求項５１〜５３のいずれかに従属する請求項７９、請求項５３又は請求項５３に従属する請求項７６若しくは７９に従属する請求項８１、請求項５１〜５３のいずれかに従属する請求項８２、請求項５３又は請求項５３に従属する請求項７６、７９、８２のいずれかに従属する請求項８４のいずれかに記載の光触媒を用いた農作物栽培用シート。
【請求項１０３】
前記透明な繊維が、生分解性プラスチックからなることを特徴とする請求項５４〜６２、請求項５４〜６２のいずれかに従属する請求項７６、請求項６２又は請求項６２に従属する請求項７６に従属する請求項７８、請求項５４〜６２のいずれかに従属する請求項７９、請求項６２又は請求項６２に従属する請求項７６若しくは７９に従属する請求項８１、請求項５４〜６２のいずれかに従属する請求項８２、請求項６２又は請求項６２に従属する請求項７６、７９、８２のいずれかに従属する請求項８４のいずれかに記載の農作物栽培用シート。
【請求項１０４】
前記透明なスポンジ状発泡体シート材が、生分解性プラスチックからなることを特徴とする請求項６３〜６５、請求項６３〜６５のいずれかに従属する請求項７６、請求項６５又は請求項６５に従属する請求項７６に従属する請求項７８、請求項６３〜６５のいずれかに従属する請求項７９、請求項６５又は請求項６５に従属する請求項７６若しくは７９に従属する請求項８１、請求項６３〜６５のいずれかに従属する請求項８２、請求項６５又は請求項６５に従属する請求項７６、７９、８２のいずれかに従属する請求項８４のいずれかに記載の農作物栽培用シート。
【請求項１０５】
前記透明な多孔質フィルム成形部材が、生分解性プラスチックからなることを特徴とする請求項６６〜６８、請求項６６〜６８のいずれかに従属する請求項７６、請求項６８又は請求項６８に従属する請求項７６に従属する請求項７８、請求項６６〜６８のいずれかに従属する請求項７９、請求項６８又は請求項６８に従属する請求項７６若しくは７９に従属する請求項８１、請求項６６〜６８のいずれかに従属する請求項８２、請求項６８又は請求項６８に従属する請求項７６、７９、８２のいずれかに従属する請求項８４のいずれかに記載の農作物栽培用シート。
【請求項１０６】
前記エアキャップシートが、生分解性プラスチックからなることを特徴とする請求項６９〜７１、請求項６９〜７１のいずれかに従属する請求項７６、請求項７１又は請求項７１に従属する請求項７６に従属する請求項７８、請求項６９〜７１のいずれかに従属する請求項７９、請求項７１又は請求項７１に従属する請求項７６若しくは７９に従属する請求項８１、請求項６９〜７１のいずれかに従属する請求項８２、請求項７１又は請求項７１に従属する請求項７６、７９、８２のいずれかに従属する請求項８４のいずれかに記載の農作物栽培用シート。
【請求項１０７】
前記第１及び第２の繊維群が、生分解性プラスチックからなることを特徴とする請求項７２、７３、請求項７２又は７３に従属する請求項７７、請求項７２若しくは７３又は請求項７２若しくは７３に従属する請求項７７に従属する請求項７８、請求項７２又は７３に従属する請求項８０、請求項７２若しくは７３又は請求項７２若しくは７３に従属する請求項７７若しくは８０に従属する請求項８１、請求項７２又は７３に従属する請求項８３、請求項７２若しくは７３又は請求項７２若しくは７３に従属する請求項７７、８０、８３のいずれかに従属する請求項８４のいずれかに記載の農作物栽培用シート。
【請求項１０８】
前記第１及び第２の薄板状部材の群が、生分解性プラスチックからなることを特徴とする請求項７４、７５、請求項７４又は７５に従属する請求項７７、請求項７４若しくは７５又は請求項７４若しくは７５に従属する請求項７７に従属する請求項７８、請求項７４又は７５に従属する請求項８０、請求項７４若しくは７５又は請求項７４若しくは７５に従属する請求項７７若しくは８０に従属する請求項８１、請求項７４又は７５に従属する請求項８３、請求項７４若しくは７５又は請求項７４若しくは７５に従属する請求項７７、８０、８３のいずれかに従属する請求項８４のいずれかに記載の農作物栽培用シート。
【請求項１０９】
農作物栽培用ハウス本体部と、前記農作物栽培用ハウス本体部の内部に設けられた植物を栽培するための圃場と、前記圃場の畝を覆う農作物栽培用マルチングシートと、圃場に適量の水を灌水する灌水装置を有する農作物栽培施設において、
前記農作物栽培用マルチングシートが、請求項１〜１５、８６、８７のいずれかに記載の光触媒を用いたシート、請求項１６、５１〜８４、８８、９９〜１０８のいずれかに記載の光触媒を用いた農作物栽培用シート、請求項１７〜５０、８５、８９〜９８のいずれかに記載の光触媒を用いた農作物栽培用マルチングシート、のいずれかで構成されていることを特徴とする光触媒を用いたシートを備えた農作物栽培施設。
【請求項１１０】
前記農作物栽培用ハウス本体部の壁面を構成するハウスシートが、両面が透明な面で構成されている請求項１１、請求項１１に従属する請求項１３〜１５、８６、８７のいずれかに記載の光触媒を用いたシート、両面が透明な面で構成されている請求項１１に従属する請求項１６、８８のいずれに記載の光触媒を用いた農作物栽培用シート、請求項５１〜８４、８８、９９〜１０８のいずれかに記載の光触媒を用いた農作物栽培用シート、のいずれかで構成されていることを特徴とする請求項１０９に記載の光触媒を用いたシートを備えた農作物栽培施設。
【請求項１１１】
さらに、前記農作物栽培用マルチングシートに備わる光触媒に光を照射するための光源を、前記農作物栽培用ハウス本体部の内部に備えたことを特徴とする請求項１０９又は１１０に記載の光触媒を用いたシートを備えた農作物栽培施設。
【請求項１１２】
さらに、表面に光触媒として不活性な無機物で部分的に被覆してなる被覆光触媒粒子を備えた空気清浄手段を、前記農作物栽培用ハウス本体部の内部に備えたことを特徴とする請求項１０９〜１１１のいずれかに記載の光触媒を用いたシートを備えた農作物栽培施設。
【請求項１１３】
前記空気清浄手段が、上部に排気口、下部に通気口を有する筒状容器と、
前記筒状容器の下部に設けられた空気送風用のファンと、
前記ファンの上部に設けられたメッシュ部材と、
前記筒状容器の内部に配置された紫外線照射光源と、
前記筒状容器の内部に収納された、前記被覆光触媒粒子を備えた発泡粒と、
を有する空気清浄装置で構成されていることを特徴とする請求項１１２に記載の光触媒を用いたシートを備えた農作物栽培施設。
【請求項１１４】
前記空気清浄手段が、両面が透明な面で構成されている請求項１１、請求項１１に従属する請求項１３〜１５、８６、８７のいずれかに記載の光触媒を用いたシート、両面が透明な面で構成されている請求項１１に従属する請求項１６、８８のいずれに記載の光触媒を用いた農作物栽培用シート、請求項５１〜８４、８８、９９〜１０８のいずれかに記載の光触媒を用いた農作物栽培用シート、のいずれかを用いて形成され、前記農作物栽培用ハウス本体部の上部から吊り下げられた短冊状のシートで構成されていることを特徴とする請求項１１２に記載の光触媒を用いたシートを備えた農作物栽培施設。
【考案の詳細な説明】
【技術分野】
【０００１】
本考案は、光触媒を用いたシートに関し、特に、トマトなどの野菜や、果物、花等の各種の農作物を栽培するのに有用な光触媒を用いた農作物栽培用シート、光触媒を用いた農作物栽培用マルチングシート、及び光触媒を用いたシートを備えた農作物栽培施設に関する。
【背景技術】
【０００２】
トマトなどの農作物は、一年中市場に出回り、多くの消費が見込まれる。このため、従来、この種の農作物は、例えば、次の特許文献１、２に記載されているような、ビニールハウスなどの農作物栽培施設内において通年にわたって促成栽培されている。
【特許文献１】特開２００２−３３５７７５号公報
【特許文献２】特開平５−３１６８８８号公報
【０００３】
これら特許文献１、２に記載されているような従来の農作物栽培施設では、一般に、例えばトンネル型に形成したビニールハウス本体内部に、地面を盛り上げてつくった農作物を栽培するための圃場を備えている。また、特許文献２に記載のように、圃場に適量の水を灌水するための灌水装置を有している。また、圃場の畝には、土壌の保水、保温、雑草防除等のために、例えば、次の特許文献３〜５に記載されているようなマルチングシートが設けられている。
【特許文献３】実開平５−２３８５０号公報
【特許文献４】特開２００２−３０５９９４号公報
【特許文献５】実開平５−８２２５６号公報
【０００４】
ところで、このような農作物栽培施設で、例えば、トマトなどの農作物を栽培する場合には、病害や害虫が発生し易くなる。このため、従来、農作物栽培施設での農作物の栽培に際しては、病害や害虫に対する殺菌剤や殺虫剤などの農薬が定期的に散布されている。このようにして栽培し、出荷される農作物の表面には、農薬が付着される。しかし、農作物を洗浄しても完全に除去して食べることが極めて難しい。また、これら殺菌剤や殺虫剤などの農薬は、栽培者及び消費者の人体に悪影響を及ぼすと考えられている。
また、殺菌剤や殺虫剤などの農薬を散布すると、病害や害虫以外の他の生態系を変えてしまうなど、自然環境に悪影響を及ぼしかねない。
そして、近年、食の安全や有機栽培の野菜が注目を集めてきており、農作物の栽培においては、これらの農薬を用いないことが求められている。
【０００５】
しかるに、従来、農作物栽培施設内での栽培において農薬等の使用を極力低減するための技術として、光触媒作用を有する二酸化チタンを不織布に設けたシートやマットが次の特許文献５、６に提案されている。
【特許文献５】特開２００５−１３７３５１号公報
【特許文献６】特開平１０−２３６９０８号公報
【０００６】
特許文献５、６に記載の光触媒を設けたこれらのシートやマットは、二酸化チタンに光を照射すると酸化還元作用により有害有機物や環境汚染物質等を水素と二酸化炭素に分解するという光触媒作用を利用したものであり、このような光触媒作用を有する二酸化チタンを設けたシートやマットを圃場の畝に敷設したり施設内に吊るすことによって、土中に溶解している農薬等の環境汚染物質や空気中の病原菌や有害物質を除去するというものである。
【考案の開示】
【考案が解決しようとする課題】
【０００７】
しかし、二酸化チタンは、その強力な光触媒作用によって、有害有機物や環境汚染物質だけでなく不織布を構成する繊維やプラスチック自身も分解してしまう。このため、特許文献５、６に記載のシートやマットでは、長期間形状を維持して使用することが難しい。
【０００８】
そして、特許文献５、６に記載のシートやマットでは、分解されながらも長期間形状を維持した状態で使用できるようにするためには、予め厚めに形成しておかなければならない。しかし、このようなシートは、厚めに形成したのでは、実際の農作業において取り扱いに次のような支障が生じる。
【０００９】
即ち、一般に、農作物栽培施設内部において、圃場の畝は数十メートル程度、細長形状に延びている。このため、圃場の畝に敷設するマルチングシートも圃場の畝をカバーできるように細長形状に延びており、使用前はロール状に巻かれている。このようなマルチングシートに、特許文献５、６に記載のシート等を使用する場合には、上述したように、光触媒作用によるシート自身が劣化されつつも長期間のマルチングシートとしての使用に耐えるためにシートの厚みを相当量厚くとらなければならない。しかし、シートを厚くするとロール状に巻いたときに径が従来のマルチングシートに比べて莫大に大きくなってしまう上、ロール状のシート全体の重量も非常に重くなる。これでは、圃場の畝にマルチングシートを敷設するための作業負担が増大してしまう。特に、農業従事者が高齢化している現在、農業従事者に対して作業負担を増大させるのでは過酷である。
【００１０】
また、化学肥料を用いずに農作物を栽培するには、土壌の改善することが必要となる。そのためには、馬や豚の糞などの有機肥料を用いて、多くのミミズや微生物等が生息する土壌環境を作ることが求められる。しかし、そのような土壌環境を作った場合には、害虫や病原菌は増大することになる。このため、光触媒を用いて空気中の病原菌や有害物質を除去するためには、光触媒の作用を極力有効活用することが求められる。そのためには、極力多くの光触媒粒子を備えて光を与えることができるようにすることが必要である。
【００１１】
しかし、特許文献５、６に記載のシートやマットでは、光触媒の粒子を極力多く備えることについては着想されていない。このため、有機物質で土壌改良したような農作物栽培施設内で、これらのシートを圃場の畝に敷設しても、完全に無農薬のままで農作物の病気を完全に阻止することは難しい。
【００１２】
また、農作物栽培施設内では、マルチングシートが敷設される圃場の畝近傍以外の空間であっても空中をカビ等の菌などが浮遊している。このため、農作物栽培施設内においては圃場の畝近傍以外の場所においても有害物質を極力除去できるようにすることが望まれる。例えば、ハウス内の壁面に光触媒のシートが適用できれば望ましい。しかし、特許文献５、６に記載のシート等では、光触媒作用により、シート自体が劣化してしまうため、ハウス内の壁面に用いることはできない。また、上述したように、特許文献５、６に記載のシート等では光触媒の作用を有効活用することもできない。
【００１３】
本考案は、従来のこのような問題点に鑑みてなされたものであり、農作物栽培施設内において、無農薬有機栽培でありながらも、高齢化する農作業者の作業負担を増大させることなく、虫害や病原菌等を効果的に除去して、農作物の病気を阻止することができ、栽培期間中の使用に十分耐え得る光触媒を用いたシート、特に、農作物栽培用マルチングシートなどの農作物栽培用シート、及び光触媒を用いたシートを備えた農作物栽培施設を提供することを目的とする。
【課題を解決するための手段】
【００１４】
上記目的を達成するため、本考案による光触媒を用いたシートは、表面に光に不活性な無機物で部分的に被覆してなる被覆光触媒粒子を担持した炭を、透光性を有する不織布に備えた構成を有することを特徴としている。
【００１５】
また、本考案の光触媒を用いたシートにおいては、前記被覆光触媒粒子を担持した炭の粒子を、前記透光性を有する不織布を構成する繊維の間に挟み込んだ構成を有するのが好ましい。
【００１６】
また、本考案の光触媒を用いたシートにおいては、前記被覆光触媒粒子を担持した炭の粒子を、前記透光性を有する不織布の表面から露出するように、該不織布に埋め込んだ構成を有するのが好ましい。
【００１７】
また、本考案の光触媒を用いたシートにおいては、前記被覆光触媒粒子を担持した炭の粒子と前記透光性を有する不織布の繊維とが積層されているのが好ましい。
【００１８】
また、本考案の光触媒を用いたシートにおいては、積層された前記被覆光触媒粒子を担持した炭の粒子と前記透光性を有する不織布の繊維とが、熱硬化処理を介して固定されているのが好ましい。
【００１９】
また、本考案の光触媒を用いたシートにおいては、積層された前記被覆光触媒粒子を担持した炭の粒子と前記透光性を有する不織布の繊維とが、該炭の粒子が通過しない大きさの孔があいた２つの多孔質シート材で挟まれているのが好ましい。
【００２０】
また、本考案の光触媒を用いたシートにおいては、少なくとも一方の面に多孔質シート材を備えるのが好ましい。
【００２１】
また、本考案の光触媒を用いたシートにおいては、表面に光に不活性な無機物で部分的に被覆してなる被覆光触媒粒子を担持した炭を、該炭の粒子が通過しない大きさの孔があいた多孔質シート材に備えてなるのが好ましい。
【００２２】
また、本考案の光触媒を用いたシートにおいては、前記被覆光触媒粒子を担持した炭の粒子を、前記多孔質シート材の表面から露出するように、該多孔質シート材に埋め込んでなるのが好ましい。
【００２３】
また、本考案の光触媒を用いたシートにおいては、前記被覆光触媒粒子を担持した炭の粒子を、２つの前記多孔質シート材で挟んでなるのが好ましい。
【００２４】
また、本考案の光触媒を用いたシートにおいては、少なくとも一方の面が、透明な面で構成されているのが好ましい。
【００２５】
また、本考案の光触媒を用いたシートにおいては、一方の面が、不透明な面で構成されているのが好ましい。
【００２６】
また、本考案の光触媒を用いたシートにおいては、少なくとも一方の面が、水分透過性を備えた面で構成されているのが好ましい。
【００２７】
また、本考案の光触媒を用いたシートにおいては、少なくとも一方の面が、親水性を備えた面で構成されているのが好ましい。
【００２８】
また、本考案の光触媒を用いたシートにおいては、少なくとも一方の面が、撥水性を備えた面で構成されているのが好ましい。
【００２９】
また、本考案による光触媒を用いた農作物栽培用シートは、上記本発明のいずれかの光触媒を用いたシートを有することを特徴としている。
【００３０】
また、本考案による光触媒を用いた農作物栽培用マルチングシートは、雑草の成長に必要な波長の透過を遮断する色で着色又は配色が施された多孔質シート材と、前記多孔質シート材に接着された透明なフェルトと、前記フェルトを構成する繊維に担持された、表面に光に不活性な無機物で部分的に被覆してなる被覆光触媒粒子を担持した炭の粒子と、からなることを特徴としている。
【００３１】
また、本考案による光触媒を用いた農作物栽培用マルチングシートは、雑草の成長に必要な波長の透過を遮断する色で着色又は配色が施された多孔質シート材と、前記多孔質シート材に接着された透明なフェルトと、前記フェルトを構成する繊維に担持された、表面に光に不活性な無機物で部分的に被覆してなる被覆光触媒粒子と、からなることを特徴としている。
【００３２】
また、本考案の光触媒を用いた農作物栽培用マルチングシートにおいては、さらに、前記透明なフェルトの前記多孔質シート材が接着される側とは反対側の面に接着された透明な第２の多孔質シート材を有して構成してもよい。
【００３３】
また、本考案による光触媒を用いた農作物栽培用マルチングシートは、雑草の成長に必要な波長の透過を遮断する色で着色又は配色が施された多孔質シート材と、前記多孔質シート材の一方の面にブラシ状に植設又は接着された毛状の透明な繊維と、前記毛状の透明な繊維に担持された、表面に光に不活性な無機物で部分的に被覆してなる被覆光触媒粒子を担持した炭の粒子と、からなることを特徴としている。
【００３４】
また、本考案による光触媒を用いた農作物栽培用マルチングシートは、雑草の成長に必要な波長の透過を遮断する色で着色又は配色が施された多孔質シート材と、前記多孔質シート材の一方の面にブラシ状に植設又は接着された毛状の透明な繊維と、前記毛状の透明な繊維に担持された、表面に光に不活性な無機物で部分的に被覆してなる被覆光触媒粒子と、からなることを特徴としている。
【００３５】
また、本考案による光触媒を用いた農作物栽培用マルチングシートは、雑草の成長に必要な波長の透過を遮断する色で着色又は配色を施した多孔質シート材と、前記多孔質シート材の一方の面に植設又は接着された羽毛状の透明な繊維と、前記羽毛状の透明な繊維に担持された、表面に光に不活性な無機物で部分的に被覆してなる被覆光触媒粒子を担持した炭の粒子と、からなることを特徴としている。
【００３６】
また、本考案による光触媒を用いた農作物栽培用マルチングシートは、雑草の成長に必要な波長の透過を遮断する色で着色又は配色を施した多孔質シート材と、前記多孔質シート材の一方の面に植設又は接着された羽毛状の透明な繊維と、前記羽毛状の透明な繊維に担持された、表面に光に不活性な無機物で部分的に被覆してなる被覆光触媒粒子と、からなることを特徴としている。
【００３７】
また、本考案による光触媒を用いた農作物栽培用マルチングシートは、雑草の成長に必要な波長の透過を遮断する色で着色又は配色を施した多孔質シート材と、前記多孔質シート材の一方の面に接着されたわた状の透明な繊維と、前記わた状の透明な繊維に担持された、表面に光に不活性な無機物で部分的に被覆してなる被覆光触媒粒子を担持した炭の粒子と、からなることを特徴としている。
【００３８】
また、本考案による光触媒を用いた農作物栽培用マルチングシートは、雑草の成長に必要な波長の透過を遮断する色で着色又は配色を施した多孔質シート材と、前記多孔質シート材の一方の面に接着されたわた状の透明な繊維と、前記わた状の透明な繊維に担持された、表面に光に不活性な無機物で部分的に被覆してなる被覆光触媒粒子と、からなることを特徴としている。
【００３９】
また、本考案による光触媒を用いた農作物栽培用マルチングシートは、雑草の成長に必要な波長の透過を遮断する色で着色又は配色が施された多孔質シート材と、前記多孔質シート材の一方の面に植設又は接着されたリボン状の透明な繊維と、前記リボン状の透明な繊維に担持された、表面に光に不活性な無機物で部分的に被覆してなる被覆光触媒粒子を担持した炭の粒子と、からなることを特徴としている。
【００４０】
また、本考案による光触媒を用いた農作物栽培用マルチングシートは、雑草の成長に必要な波長の透過を遮断する色で着色又は配色が施された多孔質シート材と、前記多孔質シート材の一方の面に植設又は接着されたリボン状の透明な繊維と、前記リボン状の透明な繊維に担持された、表面に光に不活性な無機物で部分的に被覆してなる被覆光触媒粒子と、からなることを特徴としている。
【００４１】
また、本考案の光触媒を用いた農作物栽培用マルチングシートにおいては、さらに、前記透明な繊維の前記多孔質シート材が接着される側とは反対側の面に接着された透明な第２の多孔質シート材を有して構成してもよい。
【００４２】
また、本考案による光触媒を用いた農作物栽培用マルチングシートは、雑草の成長に必要な波長の透過を遮断する色で着色又は配色を施した多孔質シート材と、前記多孔質シート材に接着された透明なスポンジ状発泡体シート材と、前記透明なスポンジ状発泡体シート材の隙間に担持された、表面に光に不活性な無機物で部分的に被覆してなる被覆光触媒粒子を担持した炭の粒子と、からなることを特徴としている。
【００４３】
また、本考案による光触媒を用いた農作物栽培用マルチングシートは、雑草の成長に必要な波長の透過を遮断する色で着色又は配色を施した多孔質シート材と、前記多孔質シート材に接着された透明なスポンジ状発泡体シート材と、前記透明なスポンジ状発泡体シート材の隙間に担持された、表面に光に不活性な無機物で部分的に被覆してなる被覆光触媒粒子と、からなることを特徴としている。
【００４４】
また、本考案の光触媒を用いた農作物栽培用マルチングシートにおいては、さらに、前記透明なスポンジ状発泡体シート材の前記多孔質シート材が接着される側とは反対側の面に接着された透明な第２の多孔質シート材を有して構成してもよい。
【００４５】
また、本考案による光触媒を用いた農作物栽培用マルチングシートは、雑草の成長に必要な波長の透過を遮断する色で着色又は配色を施した多孔質シート材と、長手方向に沿う断面が連続する凹凸を有するように折り曲げ形成され、該凹凸に形成されたいずれか一方の面が前記多孔質シート材に接着された、透明な多孔質フィルム成形部材と、前記多孔質フィルム成形部材の両面に担持された、表面に光に不活性な無機物で部分的に被覆してなる被覆光触媒粒子を担持した炭の粒子と、からなることを特徴としている。
【００４６】
また、本考案による光触媒を用いた農作物栽培用マルチングシートは、雑草の成長に必要な波長の透過を遮断する色で着色又は配色を施した多孔質シート材と、長手方向に沿う断面が連続する凹凸を有するように折り曲げ形成され、該凹凸に形成されたいずれか一方の面が前記多孔質シート材に接着された、透明な多孔質フィルム成形部材と、前記多孔質フィルム成形部材の両面に担持された、表面に光に不活性な無機物で部分的に被覆してなる被覆光触媒粒子と、からなることを特徴としている。
【００４７】
また、本考案の光触媒を用いた農作物栽培用マルチングシートにおいては、さらに、前記多孔質フィルム成形部材に形成される凹凸のうち前記多孔質シート材が接着される側とは反対側の面に接着された透明な第２の多孔質シート材を有してなるのが好ましい。
【００４８】
また、本考案による光触媒を用いた農作物栽培用マルチングシートは、雑草の成長に必要な波長の透過を遮断する色で着色又は配色を施した多孔質シート材と、前記多孔質シート材に接着され、多数の空気保持部を有し且つ該空気保持部を含む全面に孔があけられたエアキャップシートと、前記エアキャップシートの表面及び前記空気保持部の内壁に担持された、表面に光に不活性な無機物で部分的に被覆してなる被覆光触媒粒子を担持した炭の粒子と、からなることを特徴としている。
【００４９】
また、本考案による光触媒を用いた農作物栽培用マルチングシートは、雑草の成長に必要な波長の透過を遮断する色で着色又は配色を施した多孔質シート材と、前記多孔質シート材に接着され、多数の空気保持部を有し且つ該空気保持部を含む全面に孔があけられたエアキャップシートと、前記エアキャップシートの表面及び前記空気保持部の内壁に担持された、表面に光に不活性な無機物で部分的に被覆してなる被覆光触媒粒子と、からなることを特徴としている。
【００５０】
また、本考案の光触媒を用いた農作物栽培用マルチングシートにおいては、さらに、前記エアキャップシートの前記多孔質シート材が接着される側とは反対側の面に接着された透明な第２の多孔質シート材を有してなるのが好ましい。
【００５１】
また、本考案による光触媒を用いた農作物栽培用マルチングシートは、雑草の成長に必要な波長の透過を遮断する色で着色又は配色を施した第１の多孔質シート材と、前記第１の多孔質シート材に対し、該第１の多孔質シート材の長手方向に所定の間隔をおいてブラシ状に植設され、先端が自由端となっている針状の透明な第１の繊維群と、透明な第２の多孔質シート材と、前記第２の多孔質シート材に対し、該第２の多孔質シート材の長手方向に所定の間隔をおいてブラシ状に、かつ、前記第１の繊維群と交互に位置するように植設され、先端が自由端となっている針状の透明な第２の繊維群と、前記第１の多孔質シート材と前記第２の多孔質シート材とを部分的に連結する連結部材と、前記第１の多孔質シート材と前記第２の多孔質シート材との間に備わる第１及び第２の繊維群に担持された、表面に光に不活性な無機物で部分的に被覆してなる被覆光触媒粒子を担持した炭の粒子と、からなることを特徴としている。
【００５２】
また、本考案による光触媒を用いた農作物栽培用マルチングシートは、雑草の成長に必要な波長の透過を遮断する色で着色又は配色を施した第１の多孔質シート材と、前記第１の多孔質シート材に対し、該第１の多孔質シート材の長手方向に所定の間隔をおいてブラシ状に植設され、その先端が自由端となっている針状の透明な第１の繊維群と、透明な第２の多孔質シート材と、前記第２の多孔質シート材に対し、該第２の多孔質シート材の長手方向に所定の間隔をおいてブラシ状に、かつ、前記第１の繊維群と交互に位置するように植設され、その先端が自由端となっている針状の透明な第２の繊維群と、前記第１の多孔質シート材と前記第２の多孔質シート材とを部分的に連結する連結部材と、前記第１の多孔質シート材と前記第２の多孔質シート材との間に備わる第１及び第２の繊維群に担持された、表面に光に不活性な無機物で部分的に被覆してなる被覆光触媒粒子と、からなることを特徴としている。
【００５３】
また、本考案による光触媒を用いた農作物栽培用マルチングシートは、雑草の成長に必要な波長の透過を遮断する色で着色又は配色を施した第１の多孔質シート材と、前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、透明な第２の多孔質シート材と、前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、前記第１の多孔質シート材と前記第２の多孔質シート材とを部分的に連結する連結部材と、前記第１の多孔質シート材と前記第２の多孔質シート材との間に備わる第１及び第２の薄板状部材の群に担持された、表面に光に不活性な無機物で部分的に被覆してなる被覆光触媒粒子を担持した炭の粒子と、からなることを特徴としている。
【００５４】
また、本考案による光触媒を用いた農作物栽培用マルチングシートは、雑草の成長に必要な波長の透過を遮断する色で着色又は配色を施した第１の多孔質シート材と、前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、透明な第２の多孔質シート材と、前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、前記第１の多孔質シート材と前記第２の多孔質シート材とを部分的に連結する連結部材と、前記第１の多孔質シート材と前記第２の多孔質シート材との間に備わる第１及び第２の薄板状部材の群に担持された、表面に光に不活性な無機物で部分的に被覆してなる被覆光触媒粒子と、からなることを特徴としている。
【００５５】
また、本考案の光触媒を用いた農作物栽培用マルチングシートにおいては、前記多孔質シート材が、透水性を有するのが好ましい。
【００５６】
また、本考案の光触媒を用いた農作物栽培用マルチングシートにおいては、前記第１の多孔質シート材が、透水性を有するのが好ましい。
【００５７】
また、本考案の光触媒を用いた農作物栽培用マルチングシートにおいては、前記第２の多孔質シート材が、透水性を有するのが好ましい。
【００５８】
また、本考案の光触媒を用いた農作物栽培用マルチングシートにおいては、前記多孔質シート材が、親水性を有するようにしてもよい。
【００５９】
また、本考案の光触媒を用いた農作物栽培用マルチングシートにおいては、前記第１の多孔質シート材が、親水性を有するようにしてもよい。
【００６０】
また、本考案の光触媒を用いた農作物栽培用マルチングシートにおいては、前記第２の多孔質シート材が、親水性を有するようにしてもよい。
【００６１】
また、本考案の光触媒を用いた農作物栽培用マルチングシートにおいては、前記多孔質シート材が、撥水性を有するようにしてもよい。
【００６２】
また、本考案の光触媒を用いた農作物栽培用マルチングシートにおいては、前記第１の多孔質シート材が、撥水性を有するようにしてもよい。
【００６３】
また、本考案の光触媒を用いた農作物栽培用マルチングシートにおいては、前記第２の多孔質シート材が、撥水性を有するようにしてもよい。
【００６４】
また、本考案による光触媒を用いた農作物栽培用シートは、透明な多孔質シート材と、前記多孔質シート材に接着された透明なフェルトと、前記フェルトを構成する繊維に担持された、表面に光に不活性な無機物で部分的に被覆してなる被覆光触媒粒子を担持した炭の粒子と、からなることを特徴としている。
【００６５】
また、本考案による光触媒を用いた農作物栽培用シートは、透明な多孔質シート材と、前記多孔質シート材に接着された透明なフェルトと、前記フェルトを構成する繊維に担持された、表面に光に不活性な無機物で部分的に被覆してなる被覆光触媒粒子と、からなることを特徴としている。
【００６６】
また、本考案の光触媒を用いた農作物栽培用シートにおいては、さらに、前記透明なフェルトの前記多孔質シート材が接着される側とは反対側の面に接着された透明な第２の多孔質シート材を有して構成するのが好ましい。
【００６７】
また、本考案による光触媒を用いた農作物栽培用シートは、透明な多孔質シート材と、前記多孔質シート材の一方の面にブラシ状に植設又は接着された毛状の透明な繊維と、前記毛状の透明な繊維に担持された、表面に光に不活性な無機物で部分的に被覆してなる被覆光触媒粒子を担持した炭の粒子と、からなることを特徴としている。
【００６８】
また、本考案による光触媒を用いた農作物栽培用シートは、透明な多孔質シート材と、前記多孔質シート材の一方の面にブラシ状に植設又は接着された毛状の透明な繊維と、前記毛状の透明な繊維に担持された、表面に光に不活性な無機物で部分的に被覆してなる被覆光触媒粒子と、からなることを特徴としている。
【００６９】
また、本考案による光触媒を用いた農作物栽培用シートは、透明な多孔質シート材と、前記多孔質シート材の一方の面に植設又は接着された羽毛状の透明な繊維と、前記羽毛状の透明な繊維に担持された、表面に光に不活性な無機物で部分的に被覆してなる被覆光触媒粒子を担持した炭の粒子と、からなることを特徴としている。
【００７０】
また、本考案による光触媒を用いた農作物栽培用シートは、透明な多孔質シート材と、前記多孔質シート材の一方の面に植設又は接着された羽毛状の透明な繊維と、前記羽毛状の透明な繊維に担持された、表面に光に不活性な無機物で部分的に被覆してなる被覆光触媒粒子と、からなることを特徴としている。
【００７１】
また、本考案による光触媒を用いた農作物栽培用シートは、透明な多孔質シート材と、前記多孔質シート材の一方の面に接着されたわた状の透明な繊維と、前記わた状の透明な繊維に担持された、表面に光に不活性な無機物で部分的に被覆してなる被覆光触媒粒子を担持した炭の粒子と、からなることを特徴としている。
【００７２】
また、本考案による光触媒を用いた農作物栽培用シートは、透明な多孔質シート材と、前記多孔質シート材の一方の面に接着されたわた状の透明な繊維と、前記わた状の透明な繊維に担持された、表面に光に不活性な無機物で部分的に被覆してなる被覆光触媒粒子と、からなることを特徴としている。
【００７３】
また、本考案による光触媒を用いた農作物栽培用シートは、透明な多孔質シート材と、前記多孔質シート材の一方の面に植設又は接着されたリボン状の透明な繊維と、前記リボン状の透明な繊維に担持された、表面に光に不活性な無機物で部分的に被覆してなる被覆光触媒粒子を担持した炭の粒子と、からなることを特徴としている。
【００７４】
また、本考案による光触媒を用いた農作物栽培用シートは、透明な多孔質シート材と、前記多孔質シート材の一方の面に植設又は接着されたリボン状の透明な繊維と、前記リボン状の透明な繊維に担持された、表面に光に不活性な無機物で部分的に被覆してなる被覆光触媒粒子と、からなることを特徴としている。
【００７５】
また、本考案の光触媒を用いた農作物栽培用シートにおいては、さらに、前記透明な繊維の前記多孔質シート材が接着される側とは反対側の面に接着された透明な第２の多孔質シート材を有して構成してもよい。
【００７６】
また、本考案による光触媒を用いた農作物栽培用シートは、透明な多孔質シート材と、前記多孔質シート材に接着された透明なスポンジ状発泡体シート材と、前記透明なスポンジ状発泡体シート材の隙間に担持された、表面に光に不活性な無機物で部分的に被覆してなる被覆光触媒粒子を担持した炭の粒子と、からなることを特徴としている。
【００７７】
また、本考案による光触媒を用いた農作物栽培用シートは、透明な多孔質シート材と、前記多孔質シート材に接着された透明なスポンジ状発泡体シート材と、前記透明なスポンジ状発泡体シート材の隙間に担持された、表面に光に不活性な無機物で部分的に被覆してなる被覆光触媒粒子と、からなることを特徴としている。
【００７８】
また、本考案の光触媒を用いた農作物栽培用シートにおいては、さらに、前記透明なスポンジ状発泡体シート材の前記多孔質シート材が接着される側とは反対側の面に接着された透明な第２の多孔質シート材を有して構成するのが好ましい。
【００７９】
また、本考案による光触媒を用いた農作物栽培用シートは、透明な多孔質シート材と、長手方向に沿う断面が連続する凹凸を有するように折り曲げ形成され、該凹凸に形成されたいずれか一方の面が前記多孔質シート材に接着された、透明な多孔質フィルム成形部材と、前記多孔質フィルム成形部材の両面に担持された、表面に光に不活性な無機物で部分的に被覆してなる被覆光触媒粒子を担持した炭の粒子と、からなることを特徴としている。
【００８０】
また、本考案による光触媒を用いた農作物栽培用シートは、透明な多孔質シート材と、長手方向に沿う断面が連続する凹凸を有するように折り曲げ形成され、該凹凸に形成されたいずれか一方の面が前記多孔質シート材に接着された、透明な多孔質フィルム成形部材と、前記多孔質フィルム成形部材の両面に担持された、表面に光に不活性な無機物で部分的に被覆してなる被覆光触媒粒子と、からなることを特徴としている。
【００８１】
また、本考案の光触媒を用いた農作物栽培用シートにおいては、さらに、前記多孔質フィルム成形部材に形成される凹凸のうち前記多孔質シート材が接着される側とは反対側の面に接着された透明な第２の多孔質シート材を有してなるのが好ましい。
【００８２】
また、本考案による光触媒を用いた農作物栽培用シートは、透明な多孔質シート材と、前記多孔質シート材に接着され、多数の空気保持部を有し且つ該空気保持部を含む全面に孔があけられたエアキャップシートと、前記エアキャップシートの表面及び前記空気保持部の内壁に担持された、表面に光に不活性な無機物で部分的に被覆してなる被覆光触媒粒子を担持した炭の粒子と、からなることを特徴としている。
【００８３】
また、本考案による光触媒を用いた農作物栽培用シートは、透明な多孔質シート材と、前記多孔質シート材に接着され、多数の空気保持部を有し且つ該空気保持部を含む全面に孔があけられたエアキャップシートと、前記エアキャップシートの表面及び前記空気保持部の内壁に担持された、表面に光に不活性な無機物で部分的に被覆してなる被覆光触媒粒子と、からなることを特徴としている。
【００８４】
また、本考案の光触媒を用いた農作物栽培用シートにおいては、さらに、前記エアキャップシートの前記多孔質シート材が接着される側とは反対側の面に接着された透明な第２の多孔質シート材を有してなるのが好ましい。
【００８５】
また、本考案による光触媒を用いた農作物栽培用シートは、透明な第１の多孔質シート材と、前記第１の多孔質シート材に対し、該第１の多孔質シート材の長手方向に所定の間隔をおいてブラシ状に植設され、先端が自由端となっている針状の透明な第１の繊維群と、透明な第２の多孔質シート材と、前記第２の多孔質シート材に対し、該第２の多孔質シート材の長手方向に所定の間隔をおいてブラシ状に、かつ、前記第１の繊維群と交互に位置するように植設され、先端が自由端となっている針状の透明な第２の繊維群と、前記第１の多孔質シート材と前記第２の多孔質シート材とを部分的に連結する連結部材と、前記第１の多孔質シート材と前記第２の多孔質シート材との間に備わる第１及び第２の繊維群に担持された、表面に光に不活性な無機物で部分的に被覆してなる被覆光触媒粒子を担持した炭の粒子と、からなることを特徴としている。
【００８６】
また、本考案による光触媒を用いた農作物栽培用シートは、透明な第１の多孔質シート材と、前記第１の多孔質シート材に対し、該第１の多孔質シート材の長手方向に所定の間隔をおいてブラシ状に植設され、その先端が自由端となっている針状の透明な第１の繊維群と、透明な第２の多孔質シート材と、前記第２の多孔質シート材に対し、該第２の多孔質シート材の長手方向に所定の間隔をおいてブラシ状に、かつ、前記第１の繊維群と交互に位置するように植設され、その先端が自由端となっている針状の透明な第２の繊維群と、前記第１の多孔質シート材と前記第２の多孔質シート材とを部分的に連結する連結部材と、前記第１の多孔質シート材と前記第２の多孔質シート材との間に備わる第１及び第２の繊維群に担持された、表面に光に不活性な無機物で部分的に被覆してなる被覆光触媒粒子と、からなることを特徴としている。
【００８７】
また、本考案による光触媒を用いた農作物栽培用シートは、透明な第１の多孔質シート材と、前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、透明な第２の多孔質シート材と、前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、前記第１の多孔質シート材と前記第２の多孔質シート材とを部分的に連結する連結部材と、前記第１の多孔質シート材と前記第２の多孔質シート材との間に備わる第１及び第２の薄板状部材の群に担持された、表面に光に不活性な無機物で部分的に被覆してなる被覆光触媒粒子を担持した炭の粒子と、からなることを特徴としている。
【００８８】
また、本考案による光触媒を用いた農作物栽培用シートは、透明な第１の多孔質シート材と、前記第１の多孔質シート材に対し、該第１の多孔質シート材の長手方向に所定の間隔をおいて多数植設され、該第１の多孔質シート材とは反対側の辺が自由端となっている透明な第１の薄板状部材の群と、透明な第２の多孔質シート材と、前記第２の多孔質シート材に対し、該第２の多孔質シート材の長手方向に所定の間隔をおいて多数、かつ、該第１の薄板状部材の群と交互に位置するように植設され、該第２の多孔質シート材とは反対側の辺が自由端となっている透明な第２の薄板状部材の群と、前記第１の多孔質シート材と前記第２の多孔質シート材とを部分的に連結する連結部材と、前記第１の多孔質シート材と前記第２の多孔質シート材との間に備わる第１及び第２の薄板状部材の群に担持された、表面に光に不活性な無機物で部分的に被覆してなる被覆光触媒粒子と、からなることを特徴としている。
【００８９】
また、本考案の光触媒を用いた農作物栽培用シートにおいては、前記多孔質シート材が透水性を有するのが好ましい。
【００９０】
また、本考案の光触媒を用いた農作物栽培用シートにおいては、前記第１の多孔質シート材が透水性を有するのが好ましい。
【００９１】
また、本考案の光触媒を用いた農作物栽培用シートにおいては、前記第２の多孔質シート材が透水性を有するのが好ましい。
【００９２】
また、本考案の光触媒を用いた農作物栽培用シートにおいては、前記多孔質シート材が親水性を有するようにしてもよい。
【００９３】
また、本考案の光触媒を用いた農作物栽培用シートにおいては、前記第１の多孔質シート材が親水性を有するようにしてもよい。
【００９４】
また、本考案の光触媒を用いた農作物栽培用シートにおいては、前記第２の多孔質シート材が親水性を有するようにしてもよい。
【００９５】
また、本考案の光触媒を用いた農作物栽培用シートにおいては、前記多孔質シート材が撥水性を有するようにしてもよい。
【００９６】
また、本考案の光触媒を用いた農作物栽培用シートにおいては、前記第１の多孔質シート材が撥水性を有するようにしてもよい。
【００９７】
また、本考案の光触媒を用いた農作物栽培用シートにおいては、前記第２の多孔質シート材が撥水性を有するようにしてもよい。
【００９８】
また、本考案による光触媒を用いた農作物栽培用マルチングシートは、上記本考案のいずれかの光触媒を用いた農作物栽培用シートと、雑草の成長に必要な波長の透過を遮断する色で着色又は配色を施した多孔質シート材と、からなることを特徴としている。
【００９９】
また、本考案の光触媒を用いたシートにおいては、前記不織布が、生分解性プラスチックからなるのが好ましい。
【０１００】
また、本考案の光触媒を用いたシートにおいては、前記多孔質シート材が、生分解性プラスチックからなるのが好ましい。
【０１０１】
また、本考案による光触媒を用いたシートは、前記前記不織布が生分解性プラスチックからなる上記本考案の光触媒を用いたシート、又は前記多孔質シート材が生分解性プラスチックからなる上記本考案の光触媒を用いたシートを用いたことを特徴としている。
【０１０２】
また、本考案の光触媒を用いた農作物栽培用マルチングシートにおいては、前記多孔質シート材が、生分解性プラスチックからなるのが好ましい。
【０１０３】
また、本考案の光触媒を用いた農作物栽培用マルチングシートにおいては、前記第１の多孔質シート材が、生分解性プラスチックからなるのが好ましい。
【０１０４】
また、本考案の光触媒を用いた農作物栽培用マルチングシートにおいては、前記第２の多孔質シート材が、生分解性プラスチックからなるのが好ましい。
【０１０５】
また、本考案の光触媒を用いた農作物栽培用マルチングシートにおいては、前記透明なフェルトが、生分解性プラスチックからなるのが好ましい。
【０１０６】
また、本考案の光触媒を用いた農作物栽培用マルチングシートにおいては、前記透明な繊維が、生分解性プラスチックからなるのが好ましい。
【０１０７】
また、本考案の光触媒を用いた農作物栽培用マルチングシートにおいては、前記透明なスポンジ状発泡体シート材が、生分解性プラスチックからなるのが好ましい。
【０１０８】
また、本考案の光触媒を用いた農作物栽培用マルチングシートにおいては、前記透明な多孔質フィルム成形部材が、生分解性プラスチックからなるのが好ましい。
【０１０９】
また、本考案の光触媒を用いた農作物栽培用マルチングシートにおいては、前記エアキャップシートが、生分解性プラスチックからなるのが好ましい。
【０１１０】
また、本考案の光触媒を用いた農作物栽培用マルチングシートにおいては、前記第１及び第２の繊維群が、生分解性プラスチックからなるのが好ましい。
【０１１１】
また、本考案の光触媒を用いた農作物栽培用マルチングシートにおいては、前記第１及び第２の薄板状部材の群が、生分解性プラスチックからなるのが好ましい。
【０１１２】
また、本考案の光触媒を用いた農作物栽培用シートにおいては、前記多孔質シート材が、生分解性プラスチックからなるのが好ましい。
【０１１３】
また、本考案の光触媒を用いた農作物栽培用シートにおいては、前記第１の多孔質シート材が、生分解性プラスチックからなるのが好ましい。
【０１１４】
また、本考案の光触媒を用いた農作物栽培用シートにおいては、前記第２の多孔質シート材が、生分解性プラスチックからなるのが好ましい。
【０１１５】
また、本考案の光触媒を用いた農作物栽培用シートにおいては、前記透明なフェルトが、生分解性プラスチックからなるのが好ましい。
【０１１６】
また、本考案の光触媒を用いた農作物栽培用シートにおいては、前記透明な繊維が、生分解性プラスチックからなるのが好ましい。
【０１１７】
また、本考案の光触媒を用いた農作物栽培用シートにおいては、前記透明なスポンジ状発泡体シート材が、生分解性プラスチックからなるのが好ましい。
【０１１８】
また、本考案の光触媒を用いた農作物栽培用シートにおいては、前記透明な多孔質フィルム成形部材が、生分解性プラスチックからなるのが好ましい。
【０１１９】
また、本考案の光触媒を用いた農作物栽培用シートにおいては、前記エアキャップシートが、生分解性プラスチックからなるのが好ましい。
【０１２０】
また、本考案の光触媒を用いた農作物栽培用シートにおいては、前記第１及び第２の繊維群が、生分解性プラスチックからなるのが好ましい。
【０１２１】
また、本考案の光触媒を用いた農作物栽培用シートにおいては、前記第１及び第２の薄板状部材の群が、生分解性プラスチックからなるのが好ましい。
【０１２２】
また、本考案による光触媒を用いたシートを備えた農作物栽培施設は、農作物栽培用ハウス本体部と、前記農作物栽培用ハウス本体部の内部に設けられた植物を栽培するための圃場と、前記圃場の畝を覆う農作物栽培用マルチングシートと、圃場に適量の水を灌水する灌水装置を有する農作物栽培施設において、前記農作物栽培用マルチングシートが、上記本考案のいずれかの光触媒を用いたシート、上記本考案のいずれかの光触媒を用いた農作物栽培用シート、上記本考案のいずれかの光触媒を用いた農作物栽培用マルチングシート、のいずれかで構成されていることを特徴としている。
【０１２３】
また、本考案の光触媒を用いたシートを備えた農作物栽培施設においては、前記農作物栽培用ハウス本体部の壁面を構成するハウスシートが、両面が透明な面で構成されている上記本考案のいずれかの光触媒を用いたシート、両面が透明な面で構成されている上記本考案のいずれかの触媒を用いた農作物栽培用シート、のいずれかで構成されているのが好ましい。
【０１２４】
また、本考案の光触媒を用いたシートを備えた農作物栽培施設においては、さらに、前記マルチングシートに備わる光触媒に光を照射するための光源を、前記農作物栽培用ハウス本体部の内部に備えるのが好ましい。
【０１２５】
また、本考案の光触媒を用いたシートを備えた農作物栽培施設においては、さらに、表面に光触媒として不活性な無機物で部分的に被覆してなる被覆光触媒粒子を備えた空気清浄手段を、前記農作物栽培用ハウス本体部の内部に備えるのが好ましい。
【０１２６】
また、本考案の光触媒を用いたシートを備えた農作物栽培施設においては、前記空気清浄手段が、上部に排気口、下部に通気口を有する筒状容器と、前記筒状容器の下部に設けられた空気送風用のファンと、前記ファンの上部に設けられたメッシュ部材と、前記筒状容器の内部に配置された紫外線照射光源と、前記筒状容器の内部に収納された、前記被覆光触媒粒子を備えた発泡粒と、を有する空気清浄装置で構成されているのが好ましい。
【０１２７】
また、本考案の光触媒を用いたシートを備えた農作物栽培施設においては、前記空気清浄手段が、両面が透明な面で構成されている上記本発明のいずれかの光触媒を用いたシート、両面が透明な面で構成されている上記本発明のいずれかの光触媒を用いた農作物栽培用シート、のいずれかを用いて形成され、前記農作物栽培用ハウス本体部の上部から吊り下げられた短冊状のシートで構成されているのが好ましい。
【考案の効果】
【０１２８】
本考案によれば、農作物栽培施設内において、無農薬有機栽培でありながらも、高齢化する農作業者の作業負担を増大させることなく、虫害や病原菌等を効果的に除去して、農作物の病気を阻止することができ、栽培期間中の使用に十分耐え得る光触媒を用いたシート、特に、農作物栽培用マルチングシートなどの農作物栽培用シート、及び光触媒を用いたシートを備えた農作物栽培施設が得られる。
【考案を実施するための最良の形態】
【０１２９】
実施形態の説明に先立ち、本考案の基本的な作用効果について補足説明する。なお、詳細な作用効果については各実施形態の中で説明することとする。
本考案の光触媒を用いたシートでは、表面に光に不活性な無機物で部分的に被覆してなる被覆光触媒粒子を用いている。このようにすれば、被覆光触媒粒子を炭に担持させて不織布に備えても、被覆光触媒粒子における炭や不織布と接触している部分が、光に不活性なセラミックス等の無機物となる。このため、炭や不織布自身を分解することなく、悪臭や空気中の有害物質あるいは土中に溶解している有機溶剤や農薬などの環境を汚染している物質を、農作物栽培施設内に設けた光源からの人工光や太陽光の照射によって、光触媒粒子を構成する酸化チタンに生成した電子と正孔の酸化還元作用によって迅速かつ連続的に分解除去することができ、抗菌抗かびにも有効となる。
【０１３０】
従って、本考案の光触媒を用いたシートによれば、従来の光触媒を用いたシートとは異なり、長期間シート自体の効果を持続させることができる。特に、農作物栽培用のマルチングシートに適用する場合には、特許文献５に示した従来のマルチングシートのように、光触媒作用により分解されながらもシートとしての機能を保つためにシート自体を厚く形成しておかずに済み、高齢化する農作業者に対して、農作物栽培用マルチングシートの敷設作業にかかる負担を軽減することができる。
【０１３１】
さらに、本考案の光触媒を用いたシートにおいて、被覆光触媒粒子を炭に担持させれば、炭が多孔質材料として、悪臭や空気中の有害物質あるいは土中に溶解している有機溶剤や農薬などの環境を汚染している物質を吸着するので、被覆光触媒粒子を介して吸着したこれらの有害物質をより効率よく分解・除去することができる。
しかも、本考案のように被覆光触媒粒子を担持した炭は、光を照射するだけで、吸着した物質を分解するため、繰り返し使用でき、低コスト・省エネルギー的で、かつメンテナンスフリーで長期間使用できる。
【０１３２】
なお、本考案において、光触媒粒子としては、チタンと酸素とが化学量論比のチタニアだけでなく、該チタンと酸素とが不定比のチタニア、酸素欠陥型のチタニア、部分的に酸素を窒化したチタニア、金属イオンをドープしたチタニアなどが好適に用いられる。チタニアの結晶系は、光触媒として高性能である点で、アナターゼやブルッカイトであることが好ましい。また、チタニアの表面に、白金、ロジウム、ルテニウム、パラジウム、銀、銅、亜鉛などの金属が担持されたものは好適であり、それによって化学物質の酸化還元分解速度が更に大きくなり、光触媒作用も大きくなるという利点がある。
【０１３３】
また、本考案において、光に不活性な無機物とは、活性が低く実質的に光触媒として不活性のものを含むものとして定義される。例えば、アルミナ、シリカ、ジルコニア、チタン酸ジルコニウム、マグネシア、カルシア、リン酸カルシウム、リン酸チタン、酸化鉄、フェライト、石膏、非晶質のチタニアなどが好適であるが、これらと同様の効果を奏するものであれば、同様に適用することができる。
【０１３４】
また、被覆光触媒粒子としては、酸化チタンの表面に光触媒活性を持たないアパタイトなどの光触媒活性を持たないセラミックスを金平糖のように被覆したもの（金平糖型粒子）、酸化チタンの表面に光触媒活性を持たないシリカ（二酸化ケイ素）などのセラミックスをマスクメロンのマスクメロンのように被覆したもの（マスクメロン型粒子）、さらには、シリカゲルなどの多孔質の細孔内に酸化チタン光触媒を保持したもの（光触媒シリカゲル）などがある。即ち、表面を光に不活性な無機物で部分的に被覆するとは、チタニア粒子表面に光に不活性なセラミックスによって島状に被覆したり、チタニア粒子表面を穴のあいた光に不活性なセラミックス膜によって覆ったりしたもので、部分的に光触媒粒子が露出した状態となっていることを意味している。
炭としては、例えば、竹炭や木炭などを用いることができる。
【０１３５】
また、本考案の光触媒を用いたシートのように、被覆光触媒粒子を担持した炭を、透光性を有する不織布に備えて構成すれば、シートを薄型化しながら、被覆光触媒粒子を備える体積を多くとって、更に被覆光触媒粒子に光に十分に供給することができる。このため、本考案の光触媒を用いたシートを、例えば、農作物栽培用マルチングシートに用いた場合は、高齢化する農作業者に対して、農作物栽培用マルチングシートの敷設作業にかかる負担を軽減しながら、虫害や病原菌等を効果的に除去し、農作物の病気を阻止して、無農薬での有機栽培を可能にすることができる。
【０１３６】
また、本考案の光触媒を用いた農作物栽培用マルチングシートのように、透明な繊維等を介して、マルチングシートを展開した状態では被覆光触媒粒子が担持されている部分の体積が増え、マルチングシートを巻き取った状態では被覆光触媒粒子が担持されている部分の体積が減るように構成すれば、上述した本考案の光触媒を用いたシートの効果に加えて、さらに、被覆光触媒粒子又は被覆光触媒粒子を担持した炭を、広範囲かつ大量に、取り込むことができるとともに、光を光触媒に効率的に当てることができ、光触媒による虫害や病原菌等の除去効果がより一層大きくなる。また、巻いた状態でのマルチングシートの厚みを極力薄くでき、小型、軽量化できるため、高齢者に対してマルチングシートの敷設作業にかかる負担を極力軽減することができる。
【０１３７】
なお、本考案の光触媒を用いたシートは、一方の面を雑草の生長に必要な波長の透過を遮断する色で着色等すれば、農作物栽培用マルチングシートとして適用できる他、両面を透明にすれば、例えば、農作物栽培施設の壁面に用いることもできる。このようにすれば、農作物栽培用施設内において農作物栽培用マルチングシートによる光触媒作用の届かない場所での空中を浮遊する悪臭や菌等を分解することができ、本考案の光触媒を用いた農作物栽培用マルチングシートと併用することで、虫害や病原菌等の除去効果をさらにより一層大きくすることができる。
【０１３８】
さらには、これらの光触媒を用いた農作物栽培用シートに加えて、被覆光触媒粒子を備えた空気清浄手段を、前記農作物栽培用ハウス本体部の内部に備えれば、虫害や浮遊菌やカビ胞子などの病原菌等を、より一層効果的に除去して、農作物の病気を阻止することができる。
【０１３９】
なお、本考案の光触媒を用いたシートを、例えば、農作物栽培用マルチングシートに適用する場合には、被覆光触媒粒子又は被覆光触媒粒子を担持する不織布や繊維等の部材を、生分解性プラスチックで構成するのが好ましい。このようにすれば、農作物の栽培期間径化後に、不要となった農作物栽培用マルチングシートを廃棄する場合に、焼却することなく、自然に土中で分解できる。このため、環境汚染防止やエネルギーの節減に貢献できる。
なお、農作物栽培用マルチングシートにおける不織布や繊維等の部材を生分解性プラスチックで構成する場合には、分解される速度が栽培期間終了よりも遅くなるようにすることで、栽培期間は、被覆光触媒粒子による光触媒作用を受けて分解されることなく農作物栽培用マルチングシートとしての機能を維持しながら、虫害や病原菌等を効果的に除去して、農作物の病気を阻止することができる。
【０１４０】
第一実施形態
図１は本考案の第一実施形態にかかる光触媒を用いたシートを備えた農作物栽培施設であって、後述する本考案の各実施形態にかかる光触媒を用いたシート、特に、光触媒を用いた農作物栽培用マルチングシートを適用可能な、農作物栽培施設内の概略構成を示す上方からみた説明図、図２は図１の農作物栽培施設におけるハウス本体部の側面形状と圃場の畝部分の構成を示すＡ−Ａ断面図である。
第一実施形態の農作物栽培施設は、農作物栽培用ハウス本体部１と、農作物栽培用ハウス本体部１の内部に設けられた植物を栽培するための圃場２と、圃場２の畝を覆う後述する本考案の各実施形態のいずれかの光触媒を用いた農作物栽培用マルチングシート３と、圃場２に適量の水を灌水する灌水装置４を有している。なお、図中、９は苗である。
また、本考案の各実施形態では、被覆光触媒粒子には、上述した、酸化チタンの表面に光触媒活性を持たないアパタイトなどの光触媒活性を持たないセラミックスを金平糖のように被覆した金平糖型粒子（昭和電工株式会社製  商標名『ジュピター』）や、酸化チタンの表面に光触媒活性を持たないシリカ（二酸化ケイ素）などのセラミックスをマスクメロンのマスクメロンのように被覆したマスクメロン型粒子（太平化学産業製）を用いる。
【０１４１】
農作物栽培用ハウス本体部１は、例えば、透明シートと、地面に固定された枠部材とを用いて、図２に示すように、２重のトンネル形状に形成されている。なお、図１の例では、内側のハウス本体部は、例えば、幅５．０ｍ、長さ２０．０ｍ、最大高さが２．７ｍ、平均高さが２．４ｍ、内容積が２４０ｍ3に設計されている。
なお、透明シートは、後述する本考案の各実施形態における光触媒を用いたシートのいずれかを用いて構成することができる。
【０１４２】
圃場２は、農作物栽培用ハウス本体部１の内部において、高畝方式で地表より所定の高さに調整された畝２ａ１，２ａ２を２列備えて構成されている。なお、図１の例では、畝２ａ１，２ａ２の幅は、１．０ｍ程度に設計されている。また、圃場２に用いる土壌は、ｐＨ５．５〜５．７の酸性粘土質に白樺の炭を所定量の重量％混合させ、馬糞堆肥を栽培野菜が年間消費する理論量の１０倍量投入し、土壌菌の繁殖を促進するための土壌改良材としてバーク堆肥を所定量投入し、さらに酸性を中和するための中和剤（炭酸カルシウム）を所定量投入したものを用いている。
灌水施設４は、灌水用の水を備える水タンク４ａと、水タンク４ａに備わる水を圃場２に所定量送り込むためのプランジャーポンプ４ｂと、圃場２に水を灌水する灌水チューブ４ｃとで構成されている。灌水チューブ４ｃには、微小の小穴（不図示）が無数に設けられている。そして、灌水チューブ４ｃは、図２に示すように、圃場２の畝２ａ１，２ａ２の上部に農作物栽培用マルチングシート３にはさまれるように配置されており、微小の小穴を介して農作物が植えられた圃場２の各部に水を灌水するようになっている。なお、図１の例では、水タンク４ａは、容積が５００リットルのもの、プランジャーポンプ４ｂは、揚水量が１００リットル／分のものをそれぞれ用いている。
【０１４３】
その他、農作物栽培施設には、室内の湿温度を一定に保つための湿温度調整装置５が設けられている。
湿温度調整装置５は、例えば、温風器、エアコンなどの温風送風装置５ａと、温風送風装置５ａから送られる温風を農作物栽培施設内に供給するための風道部材５ｂとで構成されている。温風送風装置５ａは、農作物栽培施設内の温度及び湿度を検出するセンサ（図示省略）を備え、センサで検出された湿温度に基づいて、農作物栽培施設内が一定の湿温度に保たれるように、温風の送出を制御することができるように構成されている。
風道部材５ｂは、ビニール等で細長い袋状に形成されてなり、温風送風装置５ａからの温風を内部に溜めることによって農作物栽培施設内に行き渡るように、圃場２の長手方向に沿って設けられている。
【０１４４】
さらに、農作物栽培施設には、天井部に、光源６と、空気清浄手段７が設けられている。
光源６は、例えば、メタルハライドランプ等を備えて構成されており、所定時間点灯することで、日照時間を補うとともに、光触媒を用いたシートに光を供給する機能を有している。図１の例では、光源６は、日の出前と日没後に所定時間点灯するようにソーラーセンサを介してタイマー制御されている。
【０１４５】
空気清浄手段７は、上部に排気口、下部に通気口を有する筒状容器と、筒状容器の下部に設けられた空気送風用のファンと、ファンの上部に設けられたメッシュ部材と、筒状容器の内部に配置された紫外線照射光源と、筒状容器の内部に収納された、上述した被覆光触媒粒子を備えた発泡粒と、を有する空気清浄装置（（有）ＫＷＫ技術研究所「ＫＷＫ空気清浄装置」）で構成されている。
そして、この空気清浄装置は、筒状容器の内部においてファンを介して通気口から排気口へと空気を送風し、メッシュ部材に脱出を阻止されながら浮遊、滞流している発泡粒に備わる被覆光触媒粒子に対して、紫外線照射光源を介して紫外線を照射して光触媒として作用させて、農作物栽培施設内の空気中に含まれる空中を浮遊する悪臭や菌等を分解するようになっている（図示省略）。
【０１４６】
さらに、第一実施形態の農作物栽培施設では、上述した被覆光触媒粒子を担持した光触媒含浸炭８を農作物栽培用マルチングシート３の上に苗を挟むように備えている（図２参照。図１では便宜上、図示を省略してある。）。光触媒含浸炭８は、直径５〜７ｃｍ、長さ２０ｃｍの白樺炭５５ｋｇ分を、被覆光触媒粒子をアルコールで希釈した液に浸して作成したものを用いている。
【０１４７】
このように構成された第一実施形態の農作物栽培施設によれば、光触媒を用いたシートで農作物栽培用マルチングシート３を構成したので、農作物栽培用マルチングシート３が部分的に開口される苗の根元部分からの虫害や浮遊菌やカビ胞子などの病原菌等は、被覆光触媒粒子によって分解、除去される。このため、無農薬でありながら農作物の病気を阻止して農作物を栽培することができる。
【０１４８】
また、第一実施形態の農作物栽培施設では、光触媒を用いた農作物栽培用シートに加えて、被覆光触媒粒子を備えた空気清浄手段７として、被覆光触媒粒子を用いた空気清浄装置を農作物栽培用ハウス本体部１の内部に備えたので、虫害や浮遊菌やカビ胞子などの病原菌等を、より一層効果的に除去して、農作物の病気を阻止することができる。
さらに、第一実施形態の農作物栽培施設では、農作物栽培用マルチングシート３の上にも被覆光触媒を用いた炭８を備えたので、虫害や浮遊菌やカビ胞子などの病原菌等の除去効果を、さらにより一層効果的にすることができる。
なお、第一実施形態の農作物栽培施設では、空気清浄手段７として、被覆光触媒粒子を用いた空気清浄装置を設け、また、被覆光触媒を用いた炭８を備えたが、虫害や浮遊菌やカビ胞子などの病原菌等の除去が、光触媒を用いた農作物栽培用マルチングシート３で足りる場合には、設けなくともよい。
また、農作物栽培用マルチングシート３等、光触媒を用いたシートの具体的な構成及び作用効果については、以下の各実施形態において詳細に説明する。
【０１４９】
第二実施形態
図３は本考案の第二実施形態にかかる光触媒を用いたシートの構成を示す説明図であり、(a)は部分拡大平面図、(b)は(a)の断面図である。
第二実施形態の光触媒を用いたシートは、被覆光触媒粒子３ａを担持した炭の粒子３ｂを、透光性を有する不織布を構成する繊維３ｃの間に挟み込んだ構成を有している。
より詳しくは、第二実施形態の光触媒を用いたシートは、繊維３ｃとしての透明なファイバー状のフィラーと、被覆光触媒粒子３ａを担持した炭の粒子３ｂとを交互にランダムに散布して積層するとともに、水分存在下で加熱することによりゲル化するバインダー樹脂を単独で、又は上記ファイバー状のフィラーに含ませた状態に介在させ、これを熱処理によりフィラーを固着させて製造されている。そして、被覆光触媒粒子３ａを担持した炭の粒子３ｂは、ランダムな網目状に空隙部が形成された不織布の内部に一体に備えられている。
【０１５０】
このように構成された第二実施形態の光触媒を用いたシートによれば、ランダムな網目状に空隙部が形成された不織布の内部に、被覆光触媒粒子を担持した炭の粒子を空隙部により多く付着させ易い。しかも不織布が透光性を有するため、光を炭に担持された被覆光触媒粒子に効率よく照射することができる。そして、光触媒としての効果は網目状の空隙部を通して発揮される。また、被覆光触媒粒子を炭の粒子に担持させたので、菌やカビを炭に吸着させながら、吸着された菌やカビを被覆光触媒粒子を介して分解、除去できる。しかも、被覆光触媒粒子における炭や不織布と接触する部分は光に活性のない無機物で構成されている。このため、第二実施形態の光触媒を用いたシートによれば、光触媒による抗菌、防カビ効果を増大させ、且つ、シート自体の分解を阻止することができる。
【０１５１】
そして、このように構成された第二実施形態の光触媒を用いたシートにおいて、図３に示す不織布の一方の面を例えば、雑草の成長に必要な波長の透過を遮断する色で着色又は配色すれば、そのままで、図１に示した農作物栽培施設における農作物栽培用マルチングシート３に適用できる。また、図３に示す不織布の両面を透明に構成した場合であっても、雑草の成長に必要な波長の透過を遮断する色で着色又は配色された多孔質シート材を備えれば、農作物栽培用マルチングシート３として適用できる。この場合、不織布をランダムな網目状に空隙部が形成することができるので、農作物栽培用マルチングシートの重量の増大を極力抑えることができる。また、シートを巻いた状態においては、網目状の不織布を変形させることができシート全体の径を小さくすることができる。このため、高齢化する農作業者に対して、農作物栽培用マルチングシートの敷設作業にかかる負担を軽減することができる。
【０１５２】
さらに、第二実施形態の光触媒を用いたシートにおいて、図３に示す不織布の両面を透明に構成した場合には、農作物栽培施設の農作物栽培用ハウス本体部１の壁面を構成するシートとしても適用でき、光触媒による抗菌、防カビ効果を増大させ、且つ、シート自体の分解を阻止することができる。
但し、農作物栽培用ハウス本体部１の壁面を構成するシートとして適用する場合には、被覆光触媒粒子を炭に担持させたのでは、不織布に含有させる炭の割合によっては、却って炭が太陽光を遮ってしまい、農作物栽培施設内部で光や熱が得られ難くなるというデメリットが生ずる場合がある。
【０１５３】
そこで、第二実施形態の光触媒を用いたシートを農作物栽培用ハウス本体部１の壁面を構成するシートとして適用する場合には、被覆光触媒粒子を炭に担持させないで、そのまま透光性を有する不織布に含有させてシートを構成するとよい。このようにすれば、太陽光を遮ることなく、光触媒による抗菌、防カビ効果を増大させ、且つ、シート自体の分解を阻止することができる。なお、この場合には、炭を備えていない分、菌やカビを炭に吸着させることができないが、被覆光触媒粒子は、透光性を有する不織布を構成する繊維３ｃの間に挟み込まれることで、光触媒作用を発揮する表面積が増大するため、光触媒による抗菌、防カビ効果を増大させることができる。
【０１５４】
従って、第二実施形態の光触媒を用いたシートを農作物栽培用マルチングシートとして適用する場合においても、被覆光触媒粒子を炭に担持させないで、そのまま透光性を有する不織布に含有させてシートを構成してもよい。
【０１５５】
さらに、第二実施形態の光触媒を用いたシートにおいて、例えば、網目状の繊維に平坦な面を備えて不織布を構成した場合には、その平坦な面を、透水性を備えた面で構成するのが好ましい。
栽培する農作物によって、適量の水分が異なる。その場合、農作物栽培用マルチングシートに保湿機能のみを持たせると、圃場内部の水分が供給過剰となり、栽培に却って悪影響を及ぼすことも考えられる。透水性を備えた面で構成すれば、水分を蒸発させ易くなり、農作物に応じて、圃場内部の水分を調整し易くなる。
【０１５６】
あるいは、第二実施形態の光触媒を用いたシートにおいて、網目状の繊維に平坦な面を備えて不織布を構成した場合に、その平坦な面を、親水性を備えた面で構成してもよい。
例えば、図１に示すような農作物栽培施設において内部の蒸気が水滴となり、農作物栽培用ハウス本体部１の壁面を構成するシートや農作物栽培用マルチングシート３に付着することがある。その場合に水滴のままにすると、表面積が大きく空気中を浮遊する雑菌等が液中に入り易いため、菌の繁殖を招き易い。しかるに、親水性を備えた面で構成すれば、水滴が付着しても面の内部に浸透して水滴の状態では残らないため、空中を浮遊する雑菌等の繁殖を防ぐことができる。
【０１５７】
あるいは、第二実施形態の光触媒を用いたシートにおいて、網目状の繊維に平坦な面を備えて不織布を構成した場合に、その平坦な面を、撥水性を備えた面で構成してもよい。
そのように構成すれば、図１に示すような農作物栽培施設において内部の蒸気が水滴となって、空気中を浮遊する雑菌やカビ等が液中に入った状態で農作物栽培用マルチングシート３に落下しても、雑菌やカビ等が混在した水分を畝２ａ，２ｂの外部に水滴を逃がすことができる。
【０１５８】
第三実施形態
図４は本考案の第三実施形態にかかる光触媒を用いたシートの構成を示す説明図であり、(a)は部分拡大平面図、(b)は(a)の断面図である。
第三実施形態の光触媒を用いたシートは、被覆光触媒粒子３ａを担持した炭の粒子３ｂを、透光性を有する不織布の表面から露出するように、不織布に埋め込んだ構成を有している。
【０１５９】
このように構成された第三実施形態の光触媒を用いたシートによれば、被覆光触媒粒子３ａが外気に触れやすく、光触媒としての作用を発揮させ易い。また、被覆光触媒粒子を炭の粒子に担持させたので、菌やカビを炭に吸着させながら、吸着された菌やカビを被覆光触媒粒子を介して分解、除去できる。しかも、被覆光触媒粒子における炭や不織布と接触する部分は光に活性のない無機物で構成されている。このため、第三実施形態の光触媒を用いたシートによれば、光触媒による抗菌、防カビ効果を増大させ、且つ、シート自体の分解を阻止することができる。また、不織布を多孔質シート材で構成すれば、シート材に形成された多数の孔を通してシートの反対側に埋め込まれた被覆光触媒粒子による作用も及ぼすことができ、光触媒よる抗菌、防カビ効果をより一層増大させることができる。
【０１６０】
そして、このように構成された第三実施形態の光触媒を用いたシートにおいて、図４に示す不織布の一方の面を例えば、雑草の成長に必要な波長の透過を遮断する色で着色又は配色すれば、そのままで、図１に示した農作物栽培施設における農作物栽培用マルチングシート３に適用できる。また、図４に示す不織布の両面を透明に構成した場合であっても、雑草の成長に必要な波長の透過を遮断する色で着色又は配色された多孔質シート材を備えれば、農作物栽培用マルチングシート３として適用できる。この場合、被覆光触媒粒子３ａが外気に触れやすく、不織布を厚く形成する必要がない。このため、シートを薄くして軽量化することができ、図４に示す不織布の一方の面を例えば、雑草の成長に必要な波長の透過を遮断する色で着色又は配色して農作物栽培用マルチングシート３として用いる場合には、農作物栽培用マルチングシートの重量の増大を極力抑えることができる。また、シートを巻いた状態において、シート全体の径を小さくすることができる。このため、高齢化する農作業者に対して、農作物栽培用マルチングシートの敷設作業にかかる負担を軽減することができる。
【０１６１】
さらに、第三実施形態の光触媒を用いたシートにおいて、図３に示す不織布の両面を透明に構成した場合には、農作物栽培施設の農作物栽培用ハウス本体部１の壁面を構成するシートとしても適用でき、光触媒による抗菌、防カビ効果を増大させ、且つ、シート自体の分解を阻止することができる。
【０１６２】
その他、第三実施形態の光触媒を用いたシートにおいて、不織布で形成されるシートの面を透水性を備えて構成するのが好ましい。
栽培する農作物によって、適量の水分が異なる。その場合、農作物栽培用マルチングシートに保湿機能のみを持たせると、圃場内部の水分が供給過剰となり、栽培に却って悪影響を及ぼすことも考えられる。透水性を備えた面で構成すれば、水分を蒸発させ易くなり、農作物に応じて、圃場内部の水分を調整し易くなる。
【０１６３】
あるいは、第三実施形態の光触媒を用いたシートにおいて、不織布で形成されるシートの面を親水性を備えて構成してもよい。
例えば、図１に示すような農作物栽培施設において内部の蒸気が水滴となり、農作物栽培用ハウス本体部１の壁面を構成するシートや農作物栽培用マルチングシート３に付着することがある。その場合に水滴のままにすると、表面積が大きく空気中を浮遊する雑菌等が液中に入り易いため、菌の繁殖を招き易い。しかるに、親水性を備えた面で構成すれば、水滴が付着しても面の内部に浸透して水滴の状態では残らないため、空中を浮遊する雑菌等の繁殖を防ぐことができる。
【０１６４】
あるいは、第三実施形態の光触媒を用いたシートにおいて、不織布で形成されるシートの面を撥水性を備えた面で構成してもよい。
このように構成すれば、図１に示すような農作物栽培施設において内部の蒸気が水滴となって、空気中を浮遊する雑菌やカビ等が液中に入った状態で農作物栽培用マルチングシート３に落下しても、雑菌やカビ等が混在した水分を畝２ａ１，２ａ２の外部に水滴を逃がすことができる。
【０１６５】
第四実施形態
図５は本考案の第四実施形態にかかる光触媒を用いたシートの構成を示す部分拡大断面図である。
第四実施形態の光触媒を用いたシートは、被覆光触媒粒子３ａを担持した炭の粒子３ｂと透光性を有する不織布の繊維３ｃとが積層されるとともに、積層された被覆光触媒粒子を担持した炭の粒子３ｂと透光性を有する不織布の繊維３ｃとが、炭の粒子３ｂが通過しない大きさの孔３ｄ１，３ｅ１があいた２つの多孔質シート材３ｄ，３ｅで挟まれている。
【０１６６】
このように構成された第四実施形態の光触媒を用いたシートによれば、孔３ｄ１，３ｅ１を介して、被覆光触媒粒子３ａを担持した炭の粒子３ｂによる菌や汚染物質の吸着及び光触媒によるそれらの分解、除去を行うことができる。しかも、孔３ｄ１，３ｅ１を、炭の粒子３ｂが通過しない大きさに形成したので、被覆光触媒粒子３ａを担持した炭の粒子３ｂは、多孔質シート材３ｄ，３ｅで挟まれた間を移動しても、多孔質シート材３ｄ，３ｅからシートの外部に飛散することがない。
このため、光触媒粒子３ａを担持した炭の粒子３ｂと透光性を有する不織布の繊維３ｃとを、バインダー樹脂を介して固着させることなく、第二実施形態の光触媒と同様の効果が得られる。
【０１６７】
第五実施形態
図６は本考案の第五実施形態にかかる光触媒を用いたシートの構成を示す部分拡大断面図である。
第五実施形態の光触媒を用いたシートは、第四実施形態の光触媒を用いたシートの一変形例であり、表面に光に不活性な無機物で部分的に被覆してなる被覆光触媒粒子３ａを担持した炭の粒子３ｂを、炭の粒子３ｂが通過しない大きさの孔３ｄ１があいた多孔質シート材３ｄに備えるとともに、炭の粒子３ｄを挟んで他方の面は、例えば、炭の粒子３ｂが通過しない大きさの網目を有する透明なネット３ｆを別体に備えて構成されている。
このように構成された第五実施形態の光触媒を用いたシートによれば、第四実施形態の光触媒を用いたシートと同様の効果が得られる。
【０１６８】
第六実施形態
図７は本考案の第六実施形態にかかる光触媒を用いたシートの構成を示す部分拡大断面図である。
第六実施形態の光触媒を用いたシートは、第三実施形態の光触媒を用いたシートの一変形例であり、表面に光に不活性な無機物で部分的に被覆してなる被覆光触媒粒子３ａを担持した炭の粒子３ｂを、炭の粒子３ｂが通過しない大きさの孔３ｄ１があいた多孔質シート材３ｄに、被覆光触媒粒子３ａを担持した炭の粒子３ｂが多孔質シート材３ｄの表面から露出するように、埋め込んで構成されている。
このように構成された第六実施形態の光触媒を用いたシートによれば、第三実施形態の光触媒を用いたシートと同様の効果が得られる。
【０１６９】
第七実施形態
図８は本考案の第七実施形態にかかる光触媒を用いたシートの構成を示す部分拡大断面図である。
第七実施形態の光触媒を用いたシートは、第四実施形態の光触媒を用いたシートの他の変形例であり、被覆光触媒粒子３ａを担持した炭の粒子３ｂを、炭の粒子３ｂが通過しない大きさの孔３ｄ１，３ｅ１があいた２つの多孔質シート材３ｄ，３ｅで挟んで構成されている。
このように構成された第七実施形態の光触媒を用いたシートによれば、第四実施形態の光触媒を用いたシートと同様の効果が得られる。
【０１７０】
なお、これら上記第一〜第七実施形態の光触媒を用いたシートは、少なくとも一方の面が、透明な面で構成するのが好ましい。このようにすれば、透明な面の内側において、繊維３ｃや多孔質シート３ｄを介在して備えられた被覆光触媒粒子に対して外部からの光を十分に照射させて、光触媒による抗菌、防カビ効果をより増大させることができる。
【０１７１】
また、既述したように、一方の面を不透明な面で構成すれば、雑草の生育を阻止でき、農作物栽培用マルチングシート３として適用できる。
【０１７２】
同様に、少なくとも一方の面を、透水性を備えた面で構成するのが好ましい。
栽培する農作物によって、適量の水分が異なる。その場合、農作物栽培用マルチングシートに保湿機能のみを持たせると、圃場内部の水分が供給過剰となり、栽培に却って悪影響を及ぼすことも考えられる。透水性を備えた面で構成すれば、水分を蒸発させ易くなり、農作物に応じて、圃場内部の水分を調整し易くなる。
【０１７３】
あるいは、少なくとも一方の面を、親水性を備えた面で構成してもよい。
農作物栽培施設において内部の蒸気が水滴となり、農作物栽培用ハウス本体部１の壁面を構成するシートや農作物栽培用マルチングシートに付着することがある。その場合に水滴のままの状態にすると、空気中を浮遊する雑菌等が液中に入り、菌の繁殖を招き易い。しかるに、親水性を備えた面で構成すれば、水滴が付着しても面の内部に浸透して水滴の状態では残らないため、空中を浮遊する雑菌等の繁殖を防ぐことができる。
【０１７４】
また、少なくとも一方の面が、撥水性を備えた面で構成してもよい。
このように構成すれば、図１に示すような農作物栽培施設において内部の蒸気が水滴となって、空気中を浮遊する雑菌やカビ等が液中に入った状態で農作物栽培用マルチングシート３に落下しても、雑菌やカビ等が混在した水分を畝２ａ，２ｂの外部に水滴を逃がすことができる。
【０１７５】
第八実施形態
図９は本考案の第八実施形態にかかる光触媒を用いた農作物栽培用シートの構成を示す部分拡大断面図である。
第八実施形態の農作物栽培用シートは、図１に示した農作物栽培施設に適用可能な農作物栽培用マルチングシート３として構成されている。詳しくは、雑草の成長に必要な波長の透過を遮断する色で着色又は配色が施された多孔質シート材３ｄ’と、多孔質シート材３ｄに接着された透明なフェルト３ｇと、フェルト３ｇを構成する繊維３ｇ１に担持された、表面に光に不活性な無機物で部分的に被覆してなる被覆光触媒粒子３ａを担持した炭の粒子３ｂとで構成されている。
【０１７６】
このように構成された第八実施形態の農作物栽培用マルチングシート３では、展開した状態のときに、透明なフェルト３ｇの繊維３ｇ１が形成する空隙部に空気が入り込み、被覆光触媒粒子３ａが担持された炭の粒子３ｂが存在する空間領域が増える、言い換えれば、被覆光触媒粒子３ａの担持されている体積が増える。
このため、第八実施形態の農作物栽培用マルチングシート３によれば、フェルト３ｇ側において光を効率よく取り込んで光触媒作用を十分に発揮させることが出来る上、光触媒作用を発揮する表面積が増大するため、光触媒による抗菌、防カビ効果をより一層増大させることができる。
【０１７７】
また、第八実施形態の農作物栽培用マルチングシート３では、農作物栽培用マルチングシート３を巻き取った状態においては、フェルト３ｇの繊維３ｇ１が押されて空隙部に入っていた空気が外部に押し出され、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第八実施形態の農作物栽培用マルチングシート３によれば、軽量化及び小型収納化することができ、高齢化する農作業者に対して、農作物栽培用マルチングシート３の敷設作業にかかる負担を軽減することができる。
【０１７８】
第九実施形態
図１０は本考案の第九実施形態にかかる光触媒を用いた農作物栽培用シートの構成を示す部分拡大断面図である。
第九実施形態の農作物栽培用シートは、図１に示した農作物栽培施設に適用可能な農作物栽培用マルチングシート３として構成されている。詳しくは、雑草の成長に必要な波長の透過を遮断する色で着色又は配色が施された多孔質シート材３ｄ’と、多孔質シート材３ｄ’の一方の面にブラシ状に所定の間隔をあけて植設又は接着された毛状の透明な繊維３ｈと、毛状の透明な繊維３ｈに担持された、表面に光に不活性な無機物で部分的に被覆してなる被覆光触媒粒子３ａを担持した炭の粒子３ｂとで構成されている。
【０１７９】
このように構成された第九実施形態の農作物栽培用マルチングシート３では、展開した状態のときに、毛状の透明な繊維３ｈが多孔質シート材３ｄ’に対して立ち上がった状態となって、被覆光触媒粒子３ａが担持された炭の粒子３ｂが存在する空間領域が増える、言い換えれば、被覆光触媒粒子３ａの担持されている体積が増える。
このため、第九実施形態の農作物栽培用マルチングシート３によれば、毛状の透明な繊維３ｈ側において光を効率よく取り込んで光触媒作用を十分に発揮させることが出来る上、光触媒作用を発揮する表面積が増大するため、光触媒による抗菌、防カビ効果をより一層増大させることができる。
【０１８０】
また、第九実施形態の農作物栽培用マルチングシート３では、農作物栽培用マルチングシート３を巻き取った状態においては、毛状の透明な繊維３ｈが押されて多孔質シート材３ｄ’に対して寝た状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第九実施形態の農作物栽培用マルチングシート３によれば、軽量化及び小型収納化することができ、高齢化する農作業者に対して、農作物栽培用マルチングシート３の敷設作業にかかる負担を軽減することができる。
【０１８１】
第十実施形態
図１１は本考案の第十実施形態にかかる光触媒を用いた農作物栽培用シートの構成を示す部分拡大断面図である。
第十実施形態の農作物栽培用シートは、図１に示した農作物栽培施設に適用可能な農作物栽培用マルチングシート３として構成されている。詳しくは、雑草の成長に必要な波長の透過を遮断する色で着色又は配色を施した多孔質シート材３ｄ’と、多孔質シート材３ｄ’の一方の面に植設又は接着された羽毛状の透明な繊維３ｉと、羽毛状の透明な繊維３ｉに担持された、表面に光に不活性な無機物で部分的に被覆してなる被覆光触媒粒子３ａを担持した炭の粒子３ｂとで構成されている。
【０１８２】
このように構成された第十実施形態の農作物栽培用マルチングシート３では、展開した状態のときに、羽毛状の透明な繊維３ｉが空気を含みこんで膨らんだ状態となって、被覆光触媒粒子３ａが担持された炭の粒子３ｂが存在する空間領域が増える、言い換えれば、被覆光触媒粒子３ａの担持されている体積が増える。
このため、第十実施形態の農作物栽培用マルチングシート３によれば、羽毛状の透明な繊維３ｉ側において光を効率よく取り込んで光触媒作用を十分に発揮させることが出来る上、光触媒作用を発揮する表面積が増大するため、光触媒による抗菌、防カビ効果をより一層増大させることができる。
【０１８３】
また、第十実施形態の農作物栽培用マルチングシート３では、農作物栽培用マルチングシート３を巻き取った状態においては、羽毛状の透明な繊維３ｉの内部に含まれていた空気が外部に押し出されることによって羽毛状の透明な繊維３ｉが圧縮された状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第十実施形態の農作物栽培用マルチングシート３によれば、軽量化及び小型収納化することができ、高齢化する農作業者に対して、農作物栽培用マルチングシート３の敷設作業にかかる負担を軽減することができる。
【０１８４】
第十一実施形態
図１２は本考案の第十一実施形態にかかる光触媒を用いた農作物栽培用シートの構成を示す部分拡大断面図である。
第十一実施形態の農作物栽培用シートは、図１に示した農作物栽培施設に適用可能な農作物栽培用マルチングシート３として構成されている。詳しくは、雑草の成長に必要な波長の透過を遮断する色で着色又は配色を施した多孔質シート材３ｄ’と、多孔質シート材３ｄ’の一方の面に接着されたわた状の透明な繊維３ｊと、わた状の透明な繊維３ｊに担持された、表面に光に不活性な無機物で部分的に被覆してなる被覆光触媒粒子３ａを担持した炭の粒子３ｂとで構成されている。
【０１８５】
このように構成された第十一実施形態の農作物栽培用マルチングシート３では、展開した状態のときに、わた状の透明な繊維３ｊが空気を含みこんで膨らんだ状態となって、被覆光触媒粒子３ａが担持された炭の粒子３ｂが存在する空間領域が増える、言い換えれば、被覆光触媒粒子３ａの担持されている体積が増える。
このため、第十一実施形態の農作物栽培用マルチングシート３によれば、わた状の透明な繊維３ｊ側において光を効率よく取り込んで光触媒作用を十分に発揮させることが出来る上、光触媒作用を発揮する表面積が増大するため、光触媒による抗菌、防カビ効果をより一層増大させることができる。
【０１８６】
また、第十一実施形態の農作物栽培用マルチングシート３では、農作物栽培用マルチングシート３を巻き取った状態においては、わた状の透明な繊維３ｊの内部に含まれていた空気が外部に押し出されることによってわた状の透明な繊維３ｊが圧縮された状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第十一実施形態の農作物栽培用マルチングシート３によれば、軽量化及び小型収納化することができ、高齢化する農作業者に対して、農作物栽培用マルチングシート３の敷設作業にかかる負担を軽減することができる。
【０１８７】
第十二実施形態
図１３は本考案の第十二実施形態にかかる光触媒を用いた農作物栽培用シートの構成を示す部分拡大断面図である。
第十二実施形態の農作物栽培用シートは、図１に示した農作物栽培施設に適用可能な農作物栽培用マルチングシート３として構成されている。詳しくは、雑草の成長に必要な波長の透過を遮断する色で着色又は配色が施された多孔質シート材３ｄ’と、多孔質シート材３ｄ’の一方の面に所定の間隔をあけて植設又は接着されたリボン状の透明な繊維３ｋと、リボン状の透明な繊維３ｋに担持された、表面に光に不活性な無機物で部分的に被覆してなる被覆光触媒粒子３ａを担持した炭の粒子３ｂとで構成されている。
【０１８８】
このように構成された第十二実施形態の農作物栽培用マルチングシート３では、展開した状態のときに、リボン状の透明な繊維３ｋが多孔質シート材３ｄ’に対して立ち上がった状態となって、被覆光触媒粒子３ａが担持された炭の粒子３ｂが存在する空間領域が増える、言い換えれば、被覆光触媒粒子３ａの担持されている体積が増える。
このため、第十二実施形態の農作物栽培用マルチングシート３によれば、リボン状の透明な繊維３ｋ側において光を効率よく取り込んで光触媒作用を十分に発揮させることが出来る上、光触媒作用を発揮する表面積が増大するため、光触媒による抗菌、防カビ効果をより一層増大させることができる。
【０１８９】
また、第十二実施形態の農作物栽培用マルチングシート３では、農作物栽培用マルチングシート３を巻き取った状態においては、リボン状の透明な繊維３ｋが押されて多孔質シート材３ｄ’に対して寝た状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第十二実施形態の農作物栽培用マルチングシート３によれば、軽量化及び小型収納化することができ、高齢化する農作業者に対して、農作物栽培用マルチングシート３の敷設作業にかかる負担を軽減することができる。
【０１９０】
第十三実施形態
図１４は本考案の第十三実施形態にかかる光触媒を用いた農作物栽培用シートの構成を示す部分拡大断面図である。
第十三実施形態の農作物栽培用シートは、図１に示した農作物栽培施設に適用可能な農作物栽培用マルチングシート３として構成されている。詳しくは、雑草の成長に必要な波長の透過を遮断する色で着色又は配色を施した多孔質シート材３ｄ’と、多孔質シート材３ｄ’に接着された透明なスポンジ状発泡体シート材３ｌと、透明なスポンジ状発泡体シート材３ｌの隙間に担持された、表面に光に不活性な無機物で部分的に被覆してなる被覆光触媒粒子３ａを担持した炭の粒子３ｂとで構成されている。
【０１９１】
このように構成された第十三実施形態の農作物栽培用マルチングシート３では、展開した状態のときに、透明なスポンジ状発泡体シート材３ｌが隙間に空気を含みこんで膨らんだ状態となって、被覆光触媒粒子３ａが担持された炭の粒子３ｂが存在する空間領域が増える、言い換えれば、被覆光触媒粒子３ａの担持されている体積が増える。
このため、第十三実施形態の農作物栽培用マルチングシート３によれば、透明なスポンジ状発泡体シート材３ｌ側において光を効率よく取り込んで光触媒作用を十分に発揮させることが出来る上、光触媒作用を発揮する表面積が増大するため、光触媒による抗菌、防カビ効果をより一層増大させることができる。
【０１９２】
また、第十三実施形態の農作物栽培用マルチングシート３では、農作物栽培用マルチングシート３を巻き取った状態においては、透明なスポンジ状発泡体シート材３ｌの隙間に含まれていた空気が外部に押し出されることによって透明なスポンジ状発泡体シート材３ｌが圧縮された状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第十三実施形態の農作物栽培用マルチングシート３によれば、軽量化及び小型収納化することができ、高齢化する農作業者に対して、農作物栽培用マルチングシート３の敷設作業にかかる負担を軽減することができる。
【０１９３】
第十四実施形態
図１５は本考案の第十四実施形態にかかる光触媒を用いた農作物栽培用シートの構成を示す部分拡大断面図である。
第十四実施形態の農作物栽培用シートは、図１に示した農作物栽培施設に適用可能な農作物栽培用マルチングシート３として構成されている。詳しくは、雑草の成長に必要な波長の透過を遮断する色で着色又は配色を施した多孔質シート材３ｄ’と、長手方向に沿う断面が連続する凹凸を有するように折り曲げ形成され、その凹凸に形成されたいずれか一方の面が多孔質シート材３ｄ’に接着された、透明な多孔質フィルム成形部材３ｍと、多孔質フィルム成形部材３ｍの両面に担持された、表面に光に不活性な無機物で部分的に被覆してなる被覆光触媒粒子３ａを担持した炭の粒子３ｂとで構成されている。
【０１９４】
このように構成された第十四実施形態の農作物栽培用マルチングシート３では、展開した状態のときに、多孔質フィルム成形部材３ｍの連続する凹凸形状の凸部と多孔質シート材３ｄ’とで区画される空隙部に空気が入り込んで、被覆光触媒粒子３ａが担持された炭の粒子３ｂが存在する空間領域が増える、言い換えれば、被覆光触媒粒子３ａの担持されている体積が増える。
このため、第十四実施形態の農作物栽培用マルチングシート３によれば、透明な多孔質フィルム成形部材３ｍ側において光を効率よく取り込んで光触媒作用を十分に発揮させることが出来る上、光触媒作用を発揮する表面積が増大するため、光触媒による抗菌、防カビ効果をより一層増大させることができる。
【０１９５】
また、第十四実施形態の農作物栽培用マルチングシート３では、農作物栽培用マルチングシート３を巻き取った状態においては、連続する凹凸形状の凸部と多孔質シート材３ｄ’とで区画される空隙部の空気が外部に押し出されて、多孔質フィルム成形部材３ｍが圧縮された状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第十四実施形態の農作物栽培用マルチングシート３によれば、軽量化及び小型収納化することができ、高齢化する農作業者に対して、農作物栽培用マルチングシート３の敷設作業にかかる負担を軽減することができる。
【０１９６】
第十五実施形態
図１６は本考案の第十五実施形態にかかる光触媒を用いた農作物栽培用シートの構成を示す部分拡大断面図である。
第十五実施形態の農作物栽培用シートは、図１に示した農作物栽培施設に適用可能な農作物栽培用マルチングシート３として構成されている。詳しくは、雑草の成長に必要な波長の透過を遮断する色で着色又は配色を施した多孔質シート材３ｄ’と、多孔質シート材３ｄ’に接着され、多数の空気保持部３ｎ１を有し且つ空気保持部３ｎ１を含む全面に孔３ｎ２があけられたエアキャップシート３ｎと、エアキャップシート３ｎの表面及び空気保持部の内壁に担持された、表面に光に不活性な無機物で部分的に被覆してなる被覆光触媒粒子３ａを担持した炭の粒子３ｂとで構成されている。
【０１９７】
このように構成された第十五実施形態の農作物栽培用マルチングシート３では、展開した状態のときに、エアキャップシート３ｎに設けられた多数の空気保持部３ｎ１に空気が孔３ｎ２から入り込んで、被覆光触媒粒子３ａが担持された炭の粒子３ｂが存在する空間領域が増える、言い換えれば、被覆光触媒粒子３ａの担持されている体積が増える。
このため、第十五実施形態の農作物栽培用マルチングシート３によれば、エアキャップシート３ｎ側において光を効率よく取り込んで光触媒作用を十分に発揮させることが出来る上、光触媒作用を発揮する表面積が増大するため、光触媒による抗菌、防カビ効果をより一層増大させることができる。
【０１９８】
また、第十五実施形態の農作物栽培用マルチングシート３では、農作物栽培用マルチングシート３を巻き取った状態においては、エアキャップシート３ｎに設けられた多数の空気保持部３ｎ１の空気が孔３ｎ２を通って外部に押し出されて、エアキャップシート３ｎが圧縮された状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
このため、第十五実施形態の農作物栽培用マルチングシート３によれば、軽量化及び小型収納化することができ、高齢化する農作業者に対して、農作物栽培用マルチングシート３の敷設作業にかかる負担を軽減することができる。
【０１９９】
第十六実施形態
図１７は本考案の第十六実施形態にかかる光触媒を用いた農作物栽培用シートの構成を示す部分拡大断面図である。
第十六実施形態の農作物栽培用シートは、図９に示した第八実施形態の農作物栽培用シートの変形例であり、図９に示した構成に加えて、さらに、透明なフェルト３ｇの多孔質シート材３ｄ’が接着される側とは反対側の面に接着された透明な第２の多孔質シート材３ｄ２’を有して構成されている。
その他の構成及び作用効果は、第八実施形態の農作物栽培用シートとほぼ同じである。
【０２００】
第十七実施形態
図１８は本考案の第十七実施形態にかかる光触媒を用いた農作物栽培用シートの構成を示す部分拡大断面図である。
第十七実施形態の農作物栽培用シートは、図１０に示した第九実施形態の農作物栽培用シートの変形例であり、図１０に示した構成に加えて、さらに、毛状の透明な繊維３ｈの多孔質シート材３ｄ’が接着される側とは反対側の面に接着された透明な第２の多孔質シート材３ｄ２’を有して構成されている。
その他の構成及び作用効果は、第九実施形態の農作物栽培用シートとほぼ同じである。
【０２０１】
第十八実施形態
図１９は本考案の第十八実施形態にかかる光触媒を用いた農作物栽培用シートの構成を示す部分拡大断面図である。
第十八実施形態の農作物栽培用シートは、図１１に示した第十実施形態の農作物栽培用シートの変形例であり、図１１に示した構成に加えて、さらに、羽毛状の透明な繊維３ｉの多孔質シート材３ｄ’が接着される側とは反対側の面に接着された透明な第２の多孔質シート材３ｄ２’を有して構成されている。
その他の構成及び作用効果は、第十実施形態の農作物栽培用シートとほぼ同じである。
【０２０２】
第十九実施形態
図２０は本考案の第十九実施形態にかかる光触媒を用いた農作物栽培用シートの構成を示す部分拡大断面図である。
第十九実施形態の農作物栽培用シートは、図１２に示した第十一実施形態の農作物栽培用シートの変形例であり、図１２に示した構成に加えて、さらに、わた状の透明な繊維３ｊの多孔質シート材３ｄ’が接着される側とは反対側の面に接着された透明な第２の多孔質シート材３ｄ２’を有して構成されている。
その他の構成及び作用効果は、第十一実施形態の農作物栽培用シートとほぼ同じである。
【０２０３】
第二十実施形態
図２１は本考案の第二十実施形態にかかる光触媒を用いた農作物栽培用シートの構成を示す部分拡大断面図である。
第二十実施形態の農作物栽培用シートは、図１３に示した第十二実施形態の農作物栽培用シートの変形例であり、図１３に示した構成に加えて、さらに、リボン状の透明な繊維３ｋの多孔質シート材３ｄ’が接着される側とは反対側の面に接着された透明な第２の多孔質シート材３ｄ２’を有して構成されている。
その他の構成及び作用効果は、第十二実施形態の農作物栽培用シートとほぼ同じである。
【０２０４】
第二十一実施形態
図２２は本考案の第二十一実施形態にかかる光触媒を用いた農作物栽培用シートの構成を示す部分拡大断面図である。
第二十一実施形態の農作物栽培用シートは、図１４に示した第十三実施形態の農作物栽培用シートの変形例であり、図１４に示した構成に加えて、さらに、透明なスポンジ状発泡体シート材３ｌの多孔質シート材３ｄ’が接着される側とは反対側の面に接着された透明な第２の多孔質シート材３ｄ２’を有して構成されている。
その他の構成及び作用効果は、第十三実施形態の農作物栽培用シートとほぼ同じである。
【０２０５】
第二十二実施形態
図２３は本考案の第二十二実施形態にかかる光触媒を用いた農作物栽培用シートの構成を示す部分拡大断面図である。
第二十二実施形態の農作物栽培用シートは、図１５に示した第十四実施形態の農作物栽培用シートの変形例であり、図１５に示した構成に加えて、さらに、多孔質フィルム成形部材３ｍに形成される凹凸のうち多孔質シート材３ｄ’が接着される側とは反対側の面に接着された透明な第２の多孔質シート材３ｄ２’を有して構成されている。
その他の構成及び作用効果は、第十四実施形態の農作物栽培用シートとほぼ同じである。
【０２０６】
第二十三実施形態
図２４は本考案の第二十三実施形態にかかる光触媒を用いた農作物栽培用シートの構成を示す部分拡大断面図である。
第二十三実施形態の農作物栽培用シートは、図１６に示した第十五実施形態の農作物栽培用シートの変形例であり、図１６に示した構成に加えて、さらに、エアキャップシート３ｎの多孔質シート材３ｄ’が接着される側とは反対側の面に接着された透明な第２の多孔質シート材３ｄ２’を有して構成されている。
その他の構成及び作用効果は、第十五実施形態の農作物栽培用シートとほぼ同じである。
【０２０７】
第二十四実施形態
図２５は本考案の第二十四実施形態にかかる光触媒を用いた農作物栽培用シートの構成を示す部分拡大断面図である。
第二十四実施形態の農作物栽培用シートは、図１に示した農作物栽培施設に適用可能な農作物栽培用マルチングシート３として構成されている。詳しくは、雑草の成長に必要な波長の透過を遮断する色で着色又は配色を施した第１の多孔質シート材３ｄ’と、針状の透明な第１の繊維群３ｏ１と、透明な第２の多孔質シート材３ｄ２’と、針状の透明な第２の繊維群３ｏ２と、連結部材３ｐと、第１の多孔質シート材３ｄ’と第２の多孔質シート材３ｄ２’との間に備わる第１及び第２の繊維群３ｏ１，３ｏ２に担持された、表面に光に不活性な無機物で部分的に被覆してなる被覆光触媒粒子３ａを担持した炭の粒子３ｂとで構成されている。
第１の繊維群３ｏ１は、第１の多孔質シート材３ｄ’に対し、第１の多孔質シート材３ｄ’の長手方向に所定の間隔をおいてブラシ状に植設され、先端が自由端となっている。
第２の繊維群３ｏ２は、第２の多孔質シート材３ｄ２’に対し、第２の多孔質シート材３ｄ２’の長手方向に所定の間隔をおいてブラシ状に、かつ、第１の繊維群３ｏ１と交互に位置するように植設され、先端が自由端となっている。
連結部材３ｐは、第１の多孔質シート材３ｄ’と第２の多孔質シート材３ｄ２’とを部分的に連結している。
【０２０８】
このように構成された第二十四実施形態の農作物栽培用マルチングシートでは、展開した状態のときに、針状の透明な第１の繊維群３ｏ１が第１の多孔質シート材３ｄ’に対して立ち上がった状態となるとともに、針状の透明な第２の繊維群３ｏ２が第２の多孔質シート材３ｄ２’に対して立ち上がった状態となって、被覆光触媒粒子３ａが担持された炭の粒子３ｂが存在する空間領域が増える、言い換えれば、被覆光触媒粒子３ａの担持されている体積が増える。
このため、第二十四実施形態の農作物栽培用マルチングシート３によれば、第１及び第２の針状の透明な繊維群３ｏ１，３ｏ２を介して光を効率よく取り込んで光触媒作用を十分に発揮させることが出来る上、光触媒作用を発揮する表面積が増大するため、光触媒による抗菌、防カビ効果をより一層増大させることができる。
【０２０９】
また、第二十四実施形態の農作物栽培用マルチングシート３では、農作物栽培用マルチングシート３を巻き取った状態においては、第１の針状の透明な繊維群３ｏ１が押されて第１の多孔質シート材３ｄ’に対して寝た状態となるとともに、第２の針状の透明な繊維群３ｏ２が押されて第２の多孔質シート材３ｄ２’に対して寝た状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
【０２１０】
ここで、第二十四実施形態の農作物栽培用マルチングシート３では、第１の繊維群３ｏ１を第１の多孔質シート材３ｄ’の長手方向に所定の間隔をおいてブラシ状に植設し、その先端が自由端となるようにするとともに、第２の繊維群３ｏ２を第２の多孔質シート材３ｄ２’の長手方向に所定の間隔をおいてブラシ状に植設し、その先端が自由端となるようにし、第１と第２の繊維群３ｏ１，３ｏ２を交互に位置するように構成したので、第１の多孔質シート材３ｄ’において第１の繊維群３ｏ１を構成する針状の繊維同士の間隔を大きくとることができるとともに、第２の多孔質シート材３ｄ２’において第２の繊維群３ｏ２を構成する針状の繊維同士の間隔を大きくとることができる。このため、第１及び第２の繊維群３ｏ１，３ｏ２を構成する針状の繊維を寝かせ易くなり、収納状態における農作物栽培用マルチングシート３の全体の径をより一層小さくすることができる。
このため、第二十四実施形態の農作物栽培用マルチングシート３によれば、軽量化できるとともにより一層小型収納化することができ、高齢化する農作業者に対して、農作物栽培用マルチングシート３の敷設作業にかかる負担を軽減することができる。
【０２１１】
第二十五実施形態
図２６は本考案の第二十五実施形態にかかる光触媒を用いた農作物栽培用シートの構成を示す説明図であり、(a)は部分拡大断面図、(b)は上面図である。
第二十五実施形態の農作物栽培用シートは、図１に示した農作物栽培施設に適用可能な農作物栽培用マルチングシート３として構成されている。詳しくは、雑草の成長に必要な波長の透過を遮断する色で着色又は配色を施した第１の多孔質シート材３ｄ’と、透明な第１の薄板状部材の群３ｑ１と、透明な第２の多孔質シート材３ｄ２’と、透明な第２の薄板状部材の群３ｑ２と、連結部材３ｐと、第１の多孔質シート材３ｄ’と第２の多孔質シート材３ｄ２’との間に備わる第１及び第２の薄板状部材の群３ｑ１，３ｑ２に担持された、表面に光に不活性な無機物で部分的に被覆してなる被覆光触媒粒子３ａを担持した炭の粒子３ｂとで構成されている。
第１の薄板状部材の群３ｑ１は、第１の多孔質シート材３ｄ’に対し、第１の多孔質シート材３ｄ’の長手方向に所定の間隔をおいて多数植設され、第１の多孔質シート材３ｄ’とは反対側（第２の多孔質シート材３ｄ２’側）の辺が自由端となっている。
第２の薄板状部材の群３ｑ２は、第２の多孔質シート材３ｄ２’に対し、第２の多孔質シート材３ｄ２’の長手方向に所定の間隔をおいて多数植設され、第２の多孔質シート材３ｄ’とは反対側（第２の多孔質シート材３ｄ２’側）の辺が自由端となっている。
連結部材３ｐは、第１の多孔質シート材３ｄ’と第２の多孔質シート材３ｄ２’とを部分的に連結している。
【０２１２】
このように構成された第二十五実施形態の農作物栽培用マルチングシートでは、展開した状態のときに、透明な第１の薄板状部材の群３ｑ１が第１の多孔質シート材３ｄ’に対して立ち上がった状態となるとともに、透明な第２の薄板状部材の群３ｑ２が第２の多孔質シート材３ｄ２’に対して立ち上がった状態となって、被覆光触媒粒子３ａが担持された炭の粒子３ｂが存在する空間領域が増える、言い換えれば、被覆光触媒粒子３ａの担持されている体積が増える。
このため、第二十五実施形態の農作物栽培用マルチングシート３によれば、透明な第１及び第２の薄板状部材の群３ｑ１，３ｑ２を介して光を効率よく取り込んで光触媒作用を十分に発揮させることが出来る上、光触媒作用を発揮する表面積が増大するため、光触媒による抗菌、防カビ効果をより一層増大させることができる。
【０２１３】
また、第二十五実施形態の農作物栽培用マルチングシート３では、農作物栽培用マルチングシート３を巻き取った状態においては、第１の薄板状部材の群３ｑ１が押されて第１の多孔質シート材３ｄ’に対して寝た状態となるとともに、第２の薄板状部材の群３ｑ２が押されて第２の多孔質シート材３ｄ２’に対して寝た状態となって、被覆光触媒粒子３ａが担持された炭の粒子３ｂが存在する空間領域が減る、言い換えれば、被覆光触媒粒子３ａの担持されている体積が減り、農作物栽培用マルチングシート３の全体の径を小さくすることができる。
【０２１４】
ここで、第二十五実施形態の農作物栽培用マルチングシート３では、第１の薄板状部材の群３ｑ１を第１の多孔質シート材３ｄ’の長手方向に所定の間隔をおいて多数植設し、その先端が自由端となるようにするとともに、第２の薄板状部材の群３ｑ２を第２の多孔質シート材３ｄ２’の長手方向に所定の間隔をおいて多数植設し、その先端が自由端となるようにし、第１と第２の薄板状部材の群３ｑ１，３ｑ２を交互に位置するように構成したので、第１の多孔質シート材３ｄ’において第１の薄板状部材の群３ｑ１を構成する各薄板状部材同士の間隔を大きくとることができるとともに、第２の多孔質シート材３ｄ２’において第２の薄板状部材の群３ｑ２を構成する各薄板状部材同士の間隔を大きくとることができる。このため、第１及び第２の薄板状部材の群３ｑ１，３ｑ２を構成する各薄板状部材が寝かせ易くなる。加えて、薄板状部材は、針状部材に比べて多孔質シート材３ｄ’，３ｄ２’に対する植設面積が大きい分、自由端の移動方向が限られるため、所定の方向に規則性をもって寝かせ易い。このため、収納状態における農作物栽培用マルチングシート３の全体の径をさらにより一層小さくすることができる。
このため、第二十五実施形態の農作物栽培用マルチングシート３によれば、軽量化できるとともにさらにより一層小型収納化することができ、高齢化する農作業者に対して、農作物栽培用マルチングシート３の敷設作業にかかる負担を軽減することができる。
【０２１５】
なお、上述した第八〜第二十五実施形態の光触媒を用いた農作物栽培用マルチングシート３においては、多孔質シート材３ｄ’，３ｄ２’は、透水性を有するのが好ましい。透水性を有するように構成すれば、水分を蒸発させ易くなり、農作物に応じて、圃場内部の水分を調整し易くなる。
あるいは、親水性を有するようにしてもよい。親水性を有するように構成すれば、水滴が付着しても面の内部に浸透して水滴の状態では残らないため、空中を浮遊する雑菌等の繁殖を防ぐことができる。
あるいは、撥水性を有するようにしてもよい。このように構成すれば、図１に示すような農作物栽培施設において内部の蒸気が水滴となって、空気中を浮遊する雑菌やカビ等が液中に入った状態で農作物栽培用マルチングシート３に落下しても、雑菌やカビ等が混在した水分を畝２ａ，２ｂの外部に水滴を逃がすことができる。
【０２１６】
また、第八〜第二十五実施形態の光触媒を用いた農作物栽培用シートにおいて、多孔質シート材３ｄ’として、着色や配色を施さない透明の多孔質シート材を用いれば、農作物栽培施設の壁面を構成する、農作物栽培用ハウス本体部１の透明シートに用いることができる。
このようにすれば、農作物栽培用施設内において農作物栽培用マルチングシート３による光触媒作用の届かない場所での空中を浮遊する悪臭や菌等を農作物栽培用ハウス本体部１の透明シートで分解することができ、本考案の光触媒を用いた農作物栽培用マルチングシート３と併用することで、虫害や病原菌等の除去効果をさらにより一層大きくすることができる。
なお、このように透明の多孔質シート材を用いて構成した農作物栽培用シートにおいて、多孔質シート材は、用途に応じて、透水性、親水性、撥水性のいずれを有するように構成してもよい。
【０２１７】
また、透明の多孔質シート材を用いて構成した農作物栽培用シートを、単独で圃場に用いる雑草の成長に必要な波長の透過を遮断する色で着色又は配色された多孔質シート材の上部に敷設するように用いれば、農作物栽培用マルチングシートとして機能させることができる。
【０２１８】
また、第八〜第二十五実施形態の光触媒を用いた農作物栽培用シートにおいて、被覆光触媒粒子３ａを、炭の粒子３ｂに担持させないで、直接、透明なフェルト３ｇの繊維３ｇ１、毛状の透明な繊維３ｈ、羽毛状の透明な繊維３ｉ、わた状の透明な繊維３ｊ、リボン状の透明な繊維３ｋ、透明なスポンジ状発泡体シート材３ｌ、凹凸を有するように形成された透明な多孔質フィルム成形部材３ｍ、孔があけられたエアキョップシート３ｎ、第１及び第２の針状の透明な繊維群３ｏ１，３ｏ２、第１及び第２の透明な薄板状部材の群３ｑ１，３ｑ２等に担持させるようにしてもよい。このように構成しても、光を効率よく取り込んで光触媒作用を十分に発揮させることが出来る上、光触媒作用を発揮する表面積が増大するため、光触媒による抗菌、防カビ効果をより一層増大させることができる。また、このように構成した場合には、炭の粒子３ｂによる吸着効果は得られないが、外部からの光を炭の粒子３ｂによって遮られることがないため、より多くの光を透過させることができる。このため、農作物栽培用ハウス本体部１の透明シートに用いるのに好適となる。
【０２１９】
また、上記各実施形態の光触媒を用いたシート（農作物栽培用シート、農作物栽培用マルチングシート）は、短冊状に形成してもよい。このようにすれば、図１の農作物栽培施設における農作物栽培用ハウス本体部１の天井等から吊るすことによって、空気清浄手段として機能し、虫害や浮遊菌やカビ胞子などの病原菌等を、より一層効果的に除去して、農作物の病気を阻止することができる。
【０２２０】
また、本考案の光触媒を用いたシートを農作物栽培用マルチングシートに用いる場合において、上記各実施形態の光触媒を用いたシート（農作物栽培用シート、農作物栽培用マルチングシート）を構成する不織布、多孔質シート材等の部材（例えば、第二〜第七実施形態における透明な不織布の繊維３ｃ、ネット３ｆ、多孔質シート材３ｄ，３ｅ、第八〜第二十五実施形態における透明なフェルト３ｇ、多孔質シート材３ｄ’，３ｄ２’、透明な繊維３ｈ〜ｋ、透明なスポンジ状発泡体シート材３ｌ、透明な多孔質フィルム成形部材３ｍ、エアキャップシート３ｎ、第１及び第２の針状の透明な繊維群３ｏ１，３ｏ２、連結部材３ｐ、第１及び第２の透明な薄板状部材の群３ｑ１，３ｑ２）を、例えば、ポリ乳酸、乳酸と他のヒドロキシカルボン酸のコポリマー、キトサン、やし殻、樹皮等を主成分とする生分解性プラスチックで構成するのが好ましい。このようにすれば、使用後に廃棄処分する場合において、生分解性プラスチックで構成された部材を焼却する必要がなく、自然に土中で分解できる。このため、環境汚染防止やエネルギーの節減に貢献できる。
なお、この場合の生分解の速度は、農作物を栽培し終える期間中、農作物栽培用マルチングシートが十分に機能できる程度の速度となるようにシートを構成すればよい。
【０２２１】
また、上記各実施形態の光触媒を用いたシート（農作物栽培用シート、農作物栽培用マルチングシート）は、農作物栽培用のシートとして構成したものであるが、本考案の例えば、透明な不織布に被覆光触媒を担持した炭の粒子を備えた構成の光触媒を用いたシートを、絨毯、平マット、足拭きマットなど他の用途に転用することが可能である。そのような用途に用いても、マット自体は分解されることを防いで製品寿命を延ばしながら、光触媒の機能を効率的に永続的に発揮させて、汚れや菌などを効果的に除去することができる。
【産業上の利用可能性】
【０２２２】
本考案は、トマトなどの野菜や、果物、花等の各種の農作物を栽培するのに有用な光触媒を用いた農作物栽培用シート、光触媒を用いた農作物栽培用マルチングシート、及び光触媒を用いたシートを備えた農作物栽培施設を用いる農業やこれらのシートを取り扱う業界において有用である。
【図面の簡単な説明】
【０２２３】
【図１】本考案の第一実施形態にかかる光触媒を用いたシートを備えた農作物栽培施設であって、後述する本考案の各実施形態にかかる光触媒を用いたシート、特に、光触媒を用いた農作物栽培用マルチングシートを適用可能な、農作物栽培施設内の概略構成を示す上方からみた説明図である。
【図２】図１の農作物栽培施設におけるハウス本体部の側面形状と圃場の畝部分の構成を示すＡ−Ａ断面図である。
【図３】本考案の第二実施形態にかかる光触媒を用いたシートの構成を示す説明図であり、(a)は部分拡大平面図、(b)は(a)の断面図である。
【図４】本考案の第三実施形態にかかる光触媒を用いたシートの構成を示す説明図であり、(a)は部分拡大平面図、(b)は(a)の断面図である。
【図５】本考案の第四実施形態にかかる光触媒を用いたシートの構成を示す部分拡大断面図である。
【図６】本考案の第五実施形態にかかる光触媒を用いたシートの構成を示す部分拡大断面図である。
【図７】本考案の第六実施形態にかかる光触媒を用いたシートの構成を示す部分拡大断面図である。
【図８】本考案の第七実施形態にかかる光触媒を用いたシートの構成を示す部分拡大断面図である。
【図９】本考案の第八実施形態にかかる光触媒を用いた農作物栽培用シートの構成を示す部分拡大断面図である。
【図１０】本考案の第九実施形態にかかる光触媒を用いた農作物栽培用シートの構成を示す部分拡大断面図である。
【図１１】本考案の第十実施形態にかかる光触媒を用いた農作物栽培用シートの構成を示す部分拡大断面図である。
【図１２】本考案の第十一実施形態にかかる光触媒を用いた農作物栽培用シートの構成を示す部分拡大断面図である。
【図１３】本考案の第十二実施形態にかかる光触媒を用いた農作物栽培用シートの構成を示す部分拡大断面図である。
【図１４】本考案の第十三実施形態にかかる光触媒を用いた農作物栽培用シートの構成を示す部分拡大断面図である。
【図１５】本考案の第十四実施形態にかかる光触媒を用いた農作物栽培用シートの構成を示す部分拡大断面図である。
【図１６】本考案の第十五実施形態にかかる光触媒を用いた農作物栽培用シートの構成を示す部分拡大断面図である。
【図１７】本考案の第十六実施形態にかかる光触媒を用いた農作物栽培用シートの構成を示す部分拡大断面図である。
【図１８】本考案の第十七実施形態にかかる光触媒を用いた農作物栽培用シートの構成を示す部分拡大断面図である。
【図１９】本考案の第十八実施形態にかかる光触媒を用いた農作物栽培用シートの構成を示す部分拡大断面図である。
【図２０】本考案の第十九実施形態にかかる光触媒を用いた農作物栽培用シートの構成を示す部分拡大断面図である。
【図２１】本考案の第二十実施形態にかかる光触媒を用いた農作物栽培用シートの構成を示す部分拡大断面図である。
【図２２】本考案の第二十一実施形態にかかる光触媒を用いた農作物栽培用シートの構成を示す部分拡大断面図である。
【図２３】本考案の第二十二実施形態にかかる光触媒を用いた農作物栽培用シートの構成を示す部分拡大断面図である。
【図２４】本考案の第二十三実施形態にかかる光触媒を用いた農作物栽培用シートの構成を示す部分拡大断面図である。
【図２５】本考案の第二十四実施形態にかかる光触媒を用いた農作物栽培用シートの構成を示す部分拡大断面図である。
【図２６】本考案の第二十五実施形態にかかる光触媒を用いた農作物栽培用シートの構成を示す説明図であり、(a)は部分拡大断面図、(b)は上面図である。
【符号の説明】
【０２２４】
１            農作物栽培用ハウス本体部
２            圃場
２ａ１，２ａ２          畝
３            農作物栽培用マルチングシート
３ａ          被覆光触媒粒子
３ｂ          被覆光触媒粒子を担持した炭の粒子
３ｃ          透光性を有する不織布を構成する繊維
３ｄ，３ｄ’，３ｄ２’，３ｅ          多孔質シート材
３ｄ１，３ｅ１          孔
３ｆ          透明なネット
３ｇ          透明なフェルト
３ｇ１        透明なフェルトを構成する繊維
３ｈ          毛状の透明な繊維
３ｉ          羽毛状の透明な繊維
３ｊ          わた状の透明な繊維
３ｋ          リボン状の透明な繊維
３ｌ          透明なスポンジ状発泡体シート
３ｍ          透明な多孔質フィルム成形部材
３ｎ          エアキャップシート
３ｎ１        空気保持部
３ｎ２        孔
３ｏ１，３ｏ２          針状の透明な繊維群
３ｐ          連結部材
３ｑ１，３ｑ２          透明な薄板状部材の群
４            灌水装置
４ａ          水タンク
４ｂ          プランジャーポンプ
４ｃ          灌水チューブ
５            湿温度調整装置
５ａ          温風送風装置
５ｂ          風道部材
６            光源
７            空気清浄手段
８            光触媒含浸炭
９            苗
【図１】
0003115778.tif 000003
【図２】
0003115778.tif 000004
【図３】
0003115778.tif 000005
【図４】
0003115778.tif 000006
【図５】
0003115778.tif 000007
【図６】
0003115778.tif 000008
【図７】
0003115778.tif 000009
【図８】
0003115778.tif 000010
【図９】
0003115778.tif 000011
【図１０】
0003115778.tif 000012
【図１１】
0003115778.tif 000013
【図１２】
0003115778.tif 000014
【図１３】
0003115778.tif 000015
【図１４】
0003115778.tif 000016
【図１５】
0003115778.tif 000017
【図１６】
0003115778.tif 000018
【図１７】
0003115778.tif 000019
【図１８】
0003115778.tif 000020
【図１９】
0003115778.tif 000021
【図２０】
0003115778.tif 000022
【図２１】
0003115778.tif 000023
【図２２】
0003115778.tif 000024
【図２３】
0003115778.tif 000025
【図２４】
0003115778.tif 000026
【図２５】
0003115778.tif 000027
【図２６】
0003115778.tif 000028